(57)【特許請求の範囲】
【請求項１】
無線デバイス（１２０）が、第１の無線通信ネットワーク（１００）に含まれる第１の無線ネットワークノード（１１０）を通じて前記第１の無線通信ネットワーク（１００）にアクセスできるようにするアクセス情報を提供するための、第１のネットワークノード（１１０、１３０）によって実行される方法であって、
第１のアクセス識別子（４０２、５０２、６０２、７０２）および第１のアクセス情報コンパイレーション（４０１、５０１、６０１、７０１）を提供すること（３０１、８０１）を含み、前記第１のアクセス識別子（４０２、５０２、６０２、７０２）は前記第１のアクセス情報コンパイレーション（４０１、５０１、６０１、７０１）を識別し、前記第１のアクセス情報コンパイレーション（４０１、５０１、６０１、７０１）は、前記アクセス情報の少なくとも一部を備え、かつ、前記第１のアクセス情報コンパイレーション（４０１、５０１、６０１、７０１）とは異なる周波数で送信に関連付けられている別のさらなるアクセス情報コンパイレーション（４１１、５１１ａ〜ｂ、５２１、６１１、６２１、７１１、７２１）をどこで受信すべきかを識別し、前記第１のアクセス情報コンパイレーション（４０１、５０１、６０１、７０１）は、前記さらなるアクセス情報コンパイレーション（４１１、５１１ａ〜ｂ、５２１、６１１、６２１、７１１、７２１）を送信するために用いられる前記周波数を示すことによって、前記さらなるアクセス情報コンパイレーション（４１１、５１１ａ〜ｂ、５２１、６１１、６２１、７１１、７２１）をどこで受信すべきかを識別する、方法。
【請求項２】
第１の周波数で、前記第１のアクセス識別子（４０２、５０２、６０２、７０２）および第１のアクセス情報コンパイレーション（４０１、５０１、６０１、７０１）を送信すること（３０２、８０２）をさらに含む、請求項１に記載の方法。
【請求項３】
前記第１のアクセス識別子（４０２、５０２、６０２、７０２）は、前記第１のアクセス情報コンパイレーション（４０１、５０１、６０１、７０１）を識別することに加えて、前記第１の無線ネットワークノード（１１０）を通じて前記第１の無線通信ネットワーク（１００）にアクセスしようと試みる無線デバイス（１２０）の時間同期参照としての機能を果たす、請求項１または２に記載の方法。
【請求項４】
前記第１のアクセス情報コンパイレーション（４０１、５０１、６０１、７０１）は、さらに、
前記さらなるアクセス情報コンパイレーション（４１１、５１１ａ〜ｂ、５２１、６１１、６２１、７１１、７２１）が送信されている時間を識別する、請求項１から３のいずれか一項に記載の方法。
【請求項５】
前記第１のアクセス情報コンパイレーション（４０１、５０１、６０１、７０１）は、さらに、
前記さらなるアクセス情報コンパイレーション（４１１、５１１ａ〜ｂ、５２１、６１１、６２１、７１１、７２１）の送信に使用される符号化方式と、
前記さらなるアクセス情報コンパイレーション（４１１、５１１ａ〜ｂ、５２１、６１１、６２１、７１１、７２１）を備える信号を復調する際に使用する復調用参照信号と、
前記さらなるアクセス情報コンパイレーション（４１１、５１１ａ〜ｂ、５２１、６１１、６２１、７１１、７２１）にアクセスする際に使用する時間同期用参照信号と、
前記さらなるアクセス情報コンパイレーション（４１１、５１１ａ〜ｂ、５２１、６１１、６２１、７１１、７２１）の提供に関連付けられている無線アクセス技術「ＲＡＴ」のうちの１つまたは複数を識別する、請求項１から４のいずれか一項に記載の方法。
【請求項６】
前記さらなるアクセス情報コンパイレーション（４１１、５１１ａ〜ｂ、５２１、６１１、６２１、７１１、７２１）は、前記無線デバイス（１２０）が、１つまたは複数のその他の周波数および／または無線ネットワークノード（１１１、１１２）を通じて、前記第１の無線通信ネットワーク（１００）および／または別の第２の無線通信ネットワーク（１０１）にアクセスできるようにするその他のアクセス情報の少なくとも一部を追加的に備え、前記さらなるアクセス情報コンパイレーション（４１１、５１１ａ〜ｂ、５２１、６１１、６２１、７１１、７２１）はしたがって、複数の周波数および／または無線ネットワークノード（１１０、１１１、１１２）に関連付けられているアクセス情報を提供する、請求項１から５のいずれか一項に記載の方法。
【請求項７】
前記第１のアクセス情報コンパイレーション（４０１、５０１、６０１、７０１）は、前記アクセス情報の一部、及び、前記さらなるアクセス情報コンパイレーション（４１１、５１１ａ〜ｂ、５２１、６１１、６２１、７１１、７２１）へのポインタを含み、
前記さらなるアクセス情報コンパイレーション（４１１、５１１ａ〜ｂ、５２１、６１１、６２１、７１１、７２１）は、前記アクセス情報のさらなる一部を含む、請求項１から６のいずれか一項に記載の方法。
【請求項８】
処理回路（９０４）によって実行されるとき、前記第１のネットワークノード（１１０、１３０）に、請求項１から７のいずれか一項に記載の方法を実行させる命令を備えるコンピュータプログラム（９０３）。
【請求項９】
請求項８に記載のコンピュータプログラム（９０３）を備えるコンピュータ可読媒体。
【請求項１０】
無線デバイス（１２０）が第１の無線ネットワークノード（１１０）を通じて第１の無線通信ネットワーク（１００）にアクセスできるようにするアクセス情報を取得するための、前記無線デバイス（１２０）によって実行される方法であって、前記第１の無線ネットワークノード（１１０）は、前記第１の無線通信ネットワーク（１００）に含まれ、
前記第１の無線ネットワークノード（１１０）から、前記第１の無線ネットワークノード（１１０）によって第１の周波数で送信される第１のアクセス識別子（４０２、５０２、６０２、７０２）および第１のアクセス情報コンパイレーション（４０１、５０１、６０１、７０１）を受信すること（３０２、１００１）を含み、前記第１のアクセス識別子（４０２、５０２、６０２、７０２）は、前記第１のアクセス情報コンパイレーション（４０１、５０１、６０１、７０１）を識別し、前記第１のアクセス情報コンパイレーション（４０１、５０１、６０１、７０１）は、前記アクセス情報の少なくとも一部を備え、かつ、前記第１のアクセス情報コンパイレーション（４０１、５０１、６０１、７０１）とは異なる周波数で送信に関連付けられている別のさらなるアクセス情報コンパイレーション（４１１、５１１ａ〜ｂ、５２１、６１１、６２１、７１１、７２１）をどこで受信すべきかを識別し、前記第１のアクセス情報コンパイレーション（４０１、５０１、６０１、７０１）は、前記さらなるアクセス情報コンパイレーション（４１１、５１１ａ〜ｂ、５２１、６１１、６２１、７１１、７２１）を送信するために用いられる前記周波数を示すことによって、前記さらなるアクセス情報コンパイレーション（４１１、５１１ａ〜ｂ、５２１、６１１、６２１、７１１、７２１）をどこで受信すべきかを識別する、方法。
【請求項１１】
前記受信された第１のアクセス情報コンパイレーション（４０１、５０１、６０１、７０１）に基づいて、前記さらなるアクセス情報コンパイレーション（４１１、５１１ａ〜ｂ、５２１、６１１、６２１、７１１、７２１）を受信すること（３０３、１００２）をさらに含む、請求項１０に記載の方法。
【請求項１２】
前記受信されたさらなるアクセス情報コンパイレーション（４１１、５１１ａ〜ｂ、５２１、６１１、６２１、７１１、７２１）に基づいて、前記第１の無線ネットワークノード（１１０）を通じて前記第１の無線通信ネットワーク（１００）にアクセスすること（３０５、１００３）をさらに含む、請求項１１に記載の方法。
【請求項１３】
処理回路（１１０４）によって実行されるとき、前記無線デバイス（１２０）に、請求項１０から１２のいずれか一項に記載の方法を実行させる命令を備えるコンピュータプログラム（１１０３）。
【請求項１４】
請求項１３に記載のコンピュータプログラム（１１０３）を備えるコンピュータ可読媒体。
【請求項１５】
無線デバイス（１２０）が、第１の無線通信ネットワーク（１００）に含まれる第１の無線ネットワークノード（１１０）を通じて前記第１の無線通信ネットワーク（１００）にアクセスできるようにするアクセス情報を提供するための、第１のネットワークノード（１１０、１３０）であって、
第１のアクセス識別子（４０２、５０２、６０２、７０２）および第１のアクセス情報コンパイレーション（４０１、５０１、６０１、７０１）を提供する（３０１、８０１）ように設定され、前記第１のアクセス識別子（４０２、５０２、６０２、７０２）は、前記アクセス情報の少なくとも一部を備え、かつ、前記第１のアクセス情報コンパイレーション（４０１、５０１、６０１、７０１）とは異なる周波数で送信に関連付けられている別のさらなるアクセス情報コンパイレーション（４１１、５１１ａ〜ｂ、５２１、６１１、６２１、７１１、７２１）をどこで受信すべきかを識別し、前記第１のアクセス情報コンパイレーション（４０１、５０１、６０１、７０１）は、前記さらなるアクセス情報コンパイレーション（４１１、５１１ａ〜ｂ、５２１、６１１、６２１、７１１、７２１）を送信するために用いられる前記周波数を示すことによって、前記さらなるアクセス情報コンパイレーション（４１１、５１１ａ〜ｂ、５２１、６１１、６２１、７１１、７２１）をどこで受信すべきかを識別する、第１のネットワークノード（１１０、１３０）。
【請求項１６】
第１の周波数で、前記第１のアクセス識別子（４０２、５０２、６０２、７０２）および前記第１のアクセス情報コンパイレーション（４０１、５０１、６０１、７０１）を送信する（３０２、８０２）ようにさらに設定される、請求項１５に記載の第１のネットワークノード（１１０、１３０）。
【請求項１７】
前記第１のアクセス識別子（４０２、５０２、６０２、７０２）は、前記第１のアクセス情報コンパイレーション（４０１、５０１、６０１、７０１）を識別することに加えて、前記第１の無線ネットワークノード（１１０）を通じて前記第１の無線通信ネットワーク（１００）にアクセスしようと試みる無線デバイス（１２０）の時間同期参照としての機能を果たす、請求項１５または１６に記載の第１のネットワークノード（１１０、１３０）。
【請求項１８】
前記第１のアクセス情報コンパイレーション（４０１、５０１、６０１、７０１）は、さらに、
前記さらなるアクセス情報コンパイレーション（４１１、５１１ａ〜ｂ、５２１、６１１、６２１、７１１、７２１）が送信されている時間を識別する、請求項１５から１７のいずれか一項に記載の第１のネットワークノード（１１０、１３０）。
【請求項１９】
前記第１のアクセス情報コンパイレーション（４０１、５０１、６０１、７０１）は、さらに、
前記さらなるアクセス情報コンパイレーション（４１１、５１１ａ〜ｂ、５２１、６１１、６２１、７１１、７２１）の送信に使用される符号化方式と、
前記さらなるアクセス情報コンパイレーション（４１１、５１１ａ〜ｂ、５２１、６１１、６２１、７１１、７２１）を備える信号を復調する際に使用する復調用参照信号と、
前記さらなるアクセス情報コンパイレーション（４１１、５１１ａ〜ｂ、５２１、６１１、６２１、７１１、７２１）にアクセスする際に使用する時間同期用参照信号と、
前記さらなるアクセス情報コンパイレーション（４１１、５１１ａ〜ｂ、５２１、６１１、６２１、７１１、７２１）の提供に関連付けられている無線アクセス技術「ＲＡＴ」のうちの１つまたは複数を識別する、請求項１５から１８のいずれか一項に記載の第１のネットワークノード（１１０、１３０）。
【請求項２０】
アクセス情報を取得するための無線デバイス（１２０）であって、前記アクセス情報は、前記無線デバイス（１２０）が第１の無線ネットワークノード（１１０）を通じて第１の無線通信ネットワーク（１００）にアクセスできるようにし、前記第１の無線ネットワークノード（１１０）は、前記第１の無線通信ネットワーク（１００）に含まれ、前記無線デバイス（１２０）は、
前記第１の無線ネットワークノード（１１０）から、前記第１の無線ネットワークノード（１１０）によって第１の周波数で送信される第１のアクセス識別子（４０２、５０２、６０２、７０２）および第１のアクセス情報コンパイレーション（４０１、５０１、６０１、７０１）を受信する（３０２、１００１）ように設定され、前記第１のアクセス識別子（４０２、５０２、６０２、７０２）は、前記アクセス情報の少なくとも一部を備え、かつ、前記第１のアクセス情報コンパイレーション（４０１、５０１、６０１、７０１）とは異なる周波数で送信に関連付けられている別のさらなるアクセス情報コンパイレーション（４１１、５１１ａ〜ｂ、５２１、６１１、６２１、７１１、７２１）をどこで受信すべきかを識別し、前記第１のアクセス情報コンパイレーション（４０１、５０１、６０１、７０１）は、前記さらなるアクセス情報コンパイレーション（４１１、５１１ａ〜ｂ、５２１、６１１、６２１、７１１、７２１）を送信するために用いられる前記周波数を示すことによって、前記さらなるアクセス情報コンパイレーション（４１１、５１１ａ〜ｂ、５２１、６１１、６２１、７１１、７２１）をどこで受信すべきかを識別する、無線デバイス（１２０）。
【請求項２１】
前記受信された第１のアクセス情報コンパイレーション（４０１、５０１、６０１、７０１）に基づいて、前記さらなるアクセス情報コンパイレーション（４１１、５１１ａ〜ｂ、５２１、６１１、６２１、７１１、７２１）を受信する（３０３、１００２）ようにさらに設定される、請求項２０に記載の無線デバイス（１２０）。
【請求項２２】
前記受信されたさらなるアクセス情報コンパイレーション（４１１、５１１ａ〜ｂ、５２１、６１１、６２１、７１１、７２１）に基づいて、前記第１の無線ネットワークノード（１１０）を通じて前記第１の無線通信ネットワーク（１００）にアクセスする（３０５、１００３）ようにさらに設定される、請求項２１に記載の無線デバイス（１２０）。
【発明の詳細な説明】
【技術分野】
【０００１】
本明細書における実施形態は、無線デバイスが無線ネットワークノードを通じて無線通信ネットワークにアクセスできるようにするアクセス情報を管理するための、無線通信ネットワーク、たとえば電気通信ネットワークにおける方法およびネットワークノードに関する。
【背景技術】
【０００２】
単純に無線デバイスと称されてもよい、無線通信デバイスのような通信デバイスはまた、たとえばユーザ機器（ＵＥ）、移動体端末、無線端末、および／または移動局としても知られている。無線デバイスは、場合によってはセルラー無線システム、セルラーネットワーク、またはセルラー通信システムとも称される、セルラー通信ネットワーク、無線通信システム、またはラジオ通信システムにおいて無線で通信できるようにされる。通信は、たとえば２つの無線デバイスの間、無線デバイスと通常の電話の間、および／または無線デバイスとサーバの間で、セルラー通信ネットワーク内に含まれる無線アクセスネットワーク（ＲＡＮ）および場合によっては１つまたは複数のコアネットワークを介して実行されてもよい。無線デバイスはさらに、一部のさらなる例をあげると、移動電話、セルラー電話、ラップトップ、携帯情報端末（ＰＤＡ）、タブレットコンピュータと称されることがある。無線デバイスは、いわゆるマシンツーマシン（Ｍ２Ｍ）デバイスまたはマシン型通信（ＭＴＣ）デバイス、つまり通常のユーザに関連付けられていないデバイスであってもよい。
【０００３】
無線デバイスは、たとえば、ポータブルの、ポケット収納可能な、ハンドヘルドの、コンピュータ内蔵の、または車両搭載のモバイルデバイスであってもよく、ＲＡＮを介して、音声および／またはデータを、別の無線デバイスもしくはサーバのような別のエンティティと通信できるようにされてもよい。
【０００４】
セルラー通信ネットワークは、セル領域に分割される地理的領域をカバーし、各セル領域は、たとえば少なくとも１つの基地局、またはたとえば無線基地局（ＲＢＳ）のような、少なくとも１つの基地局（ＢＳ）によってサーブされており、場合によって、基地局は使用される技術および用語に応じて、たとえば「ｅＮＢ」、「ｅＮｏｄｅＢ」、「ＮｏｄｅＢ」、「Ｂノード」、またはＢＴＳ（ベーストランシーバ基地局）と称されてもよい。基地局は、送信電力に基づいて、したがってセルサイズにも基づいて、たとえばマクロｅＮｏｄｅＢ、ホームｅＮｏｄｅＢ、またはピコ基地局のような異なるクラスのものであってもよい。セルは通常、１つまたは複数のセル識別情報によって識別される。基地局サイトにおける基地局は、１つまたは複数のセルの無線カバレッジを提供する。したがって、セルは、そのセルの無線カバレッジが、基地局サイトにおいて基地局によって提供される地理的領域に関連付けられている。セルは、複数のセルが同一の地理的領域をカバーするように重複してもよい。基地局によりセルを提供するかまたはセルにサーブすることは、無線カバレッジが提供される地理的領域に位置する１つまたは複数の無線デバイスが、前記セルにおいて基地局によってサーブされ得るように、基地局が無線カバレッジを提供することを意味する。無線デバイスがセルにおいて、またはセルによってサーブされると言われる場合、これは無線デバイスが、セルの無線カバレッジを提供する基地局によってサーブされることを暗黙的に示す。１つの基地局は、１つまたは複数のセルにサーブすることができる。さらに、各基地局は、１つまたは複数の通信技術をサポートすることができる。基地局は、無線周波数で動作しているエアインターフェイスを介して、基地局のレンジ内で無線デバイスと通信する。
【０００５】
一部のＲＡＮにおいて、複数の基地局は、たとえば地上通信線またはマイクロ波によって、無線ネットワークコントローラ、たとえばＵｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の無線ネットワークコントローラ（ＲＮＣ）に、および／または相互に接続され得る。たとえばＧＳＭにおいて、場合によっては基地局コントローラ（ＢＳＣ）と呼ばれることもある、無線ネットワークコントローラは、接続されている複数の基地局のさまざまなアクティビティを監視および調整することができる。ＧＳＭは、Ｇｌｏｂａｌ  Ｓｙｓｔｅｍ  ｆｏｒ  Ｍｏｂｉｌｅ  ｃｏｍｍｕｎｉｃａｔｉｏｎ（起源は、Ｇｒｏｕｐｅ  Ｓｐｅｃｉａｌ  Ｍｏｂｉｌｅ）の略語である。
【０００６】
第３世代パートナーシッププロジェクト（３ＧＰＰ）のＬｏｎｇ  Ｔｅｒｍ  Ｅｖｏｌｕｔｉｏｎ（ＬＴＥ）において、ｅＮｏｄｅＢまたはｅＮＢと称されることがある基地局は、その他の基地局に直接接続されてもよいか、または１つまたは複数のコアネットワークに直接接続されてもよい。
【０００７】
ＵＭＴＳは、ＧＳＭから進化した、第３世代または３Ｇと称されることがある第３世代移動体通信システムであり、広帯域符号分割多元接続（ＷＣＤＭＡ）アクセス技術に基づく改善された移動体通信サービスを提供する。ＵＭＴＳ地上無線アクセスネットワーク（ＵＴＲＡＮ）は、本質的に、無線デバイスに広帯域符号分割多元接続を使用する無線アクセスネットワークである。高速パケットアクセス（ＨＳＰＡ）は、ＷＣＤＭＡを使用する既存の第３世代移動体通信ネットワークのパフォーマンスを拡張し改善する、３ＧＰＰによって規定された、高速ダウンリンクパケットアクセス（ＨＳＤＰＡ）および高速アップリンクパケットアクセス（ＨＳＵＰＡ）という２つの移動電話プロトコルの融合である。そのようなネットワークは、ＷＣＤＭＡ／ＨＳＰＡと称されてもよい。
【０００８】
３ＧＰＰは、たとえばＬＴＥにおいて使用されるエボルブドＵＴＲＡＮ（Ｅ−ＵＴＲＡＮ）へと、ＵＴＲＡＮおよびＧＳＭベースの無線アクセスネットワーク技術をさらに進化させることに取り組んできた。
【０００９】
ダウンリンク（ＤＬ）という表現は、基地局から無線デバイスへの送信パスについて使用される。アップリンク（ＵＬ）という表現は、逆方向、つまり無線デバイスから基地局への送信パスについて使用される。
【００１０】
次世代ワイドエリアネットワークのベースラインを設計する作業が進行中であるが、これは第５世代（５Ｇ）と称されてもよい。ネットワークにおけるエネルギー消費を低減するため、および高いゲインのビーム形成またはその他のマルチアンテナ技法を十分に利用できるようにするため、制御／ブロードキャストレイヤをデータプレーンから切り離す概念が規定されている。ブロードキャストレイヤは、ブロードキャストされたアクセス情報テーブル（ＡＩＴ）およびブロードキャストされたシステムシグニチャシーケンス（ＳＳＳ）を備える。たとえば、Ｐ．Ｆｒｅｎｇｅｒ、Ｍ．Ｏｌｓｓｏｎ、およびＥ．Ｅｒｉｋｓｓｏｎによる、Ｐｒｏｃ．ＩＥＥＥ  ＰＩＭＲＣ  ２０１４年の「Ａ  ｃｌｅａｎ  ｓｌａｔｅ  ｒａｄｉｏ  ｎｅｔｗｏｒｋ  ｄｅｓｉｇｎｅｄ  ｆｏｒ  ｍａｘｉｍｕｍ  ｅｎｅｒｇｙ  ｐｅｒｆｏｒｍａｎｃｅ」を参照されたい。図１ａは、ＡＩＴとＳＳＳが相互にどのように関連し得るかを概略的に説明する時間−周波数図である。ＳＳＳは、ブロードキャストされたＡＩＴから情報をマップするために使用されてもよい。ブロードキャストされた信号は、単一周波数ネットワーク（ＳＦＮ）構造で送信することができるはずである。ブロードキャストされた情報は、ランダムアクセスを通じて、システムにアクセスする方法に関連するパラメータ設定を含むことができ、いわゆるページングを用いて、システムによって到達されてもよい。ＡＩＴは、１つまたは複数の領域の初期アクセスに関連するパラメータを提供する。ネットワークエネルギー消費を低減するため、ブロードキャストされた信号は、ＬＴＥのような以前のセルラーシステムにおける参照信号と比較すると頻度は低い。ＡＩＴは通常、たとえば１．０２４ｓから１０．２４ｓまでの、長い周期で送信される。
【００１１】
図１ｂは、上記で説明され、図１ａに示されるような、ＡＩＴおよびＳＳＳを採用する無線通信ネットワークの例を概略的に示すブロック図である。一般に、ＳＳＳは、ノード固有ではないことがあるが、その代わりに、たとえばピコのような小さいセルがＳＳＳ３に関連付けられ、スモールセルをカバーするたとえばマクロのような大きいセルがＳＳＳ１５に関連付けられている図に示されるように、１つのＳＳＳが、複数のノードの関連アクセス情報を提供することができる。より大きいセルは、スモールセルに関連するアクセス情報を送信することができる。モビリティを高めるために、ＡＩＴは、隣接する領域に関連するアクセス情報を含むことができる。システムシグニチャシーケンスは、時間同期、およびＡＩＴのテーブルエントリへのマッピングをもたらす。通常、ＳＳＳは、たとえば１００ｍｓごとのように、ＡＩＴよりも頻繁に送信される。
【００１２】
一般に、ＡＩＴおよびＳＳＳは、従来のセルラーシステムと比べて、時間および周波数において比較的まれに送信される。一部のノードはＡＩＴと関連するＳＳＳの両方を送信することができるが、一部のノードはＳＳＳのみを送信する。
【００１３】
ＳＳＳは、ＬＴＥ同期信号と類似してもよい、つまりＬＴＥ同期信号に対応すると見なされてもよい。合計１０２４個の可能なＳＳＳがあると仮定すれば、これらのＳＳＳは１０ビットの情報を搬送することができる。受信されたＳＳＳインデックスは、ＡＩＴならびにレイヤ選択およびオープンループ電力制御に使用された受信電力からアクセス情報を導き出すために使用される。受信されたＳＳＳのタイミングは、物理ランダムアクセスチャネル（ＰＲＡＣＨ）送信タイミングウィンドウを決定するために使用されてもよい。
【００１４】
上記で説明されているようなブロードキャストされたＡＩＴおよびＳＳＳに基づく、たとえば５Ｇネットワークのような無線通信ネットワークは、既存の従来の無線通信ネットワークおよびＬＴＥのような従来の無線アクセス技術（ＲＡＴ）を上回る利点を有しているが、同時にまた課題にも直面していることが理解されよう。たとえば、干渉を生じさせエネルギーを消費するシグナリング、たとえば参照シグナリングおよびさまざまなシステム情報のシグナリングなどの低減が可能になることは、明らかに有利である。一方、この情報へのアクセスは、多くの場合、極めて重要である。「正しい」望ましい情報が必要とされるときに、その情報へのアクセスに問題が生じると、パフォーマンスを損なう場合がある。従来の無線通信ネットワークと比較して、何らかのパフォーマンスの低下は、容認されない可能性がある。おそらく最も重要な情報は、無線デバイスが無線ネットワークノードを通じて無線通信ネットワークにアクセスできるようにするアクセス情報である。
【００１５】
したがって、たとえば上記で説明されているＡＩＴおよびＳＳＳの使用をサポートする、たとえば５Ｇネットワークのような無線通信システムの解決策のさらなる開発が、従来の無線通信ネットワークに関して、特にアクセス情報について、パフォーマンス低下またはその他の欠点のリスクを低減するか、またはリスクの低減を少なくとも可能にするかもしくはリスクの低減を容易にすることが望ましい。同時にまた、さらなる利点を提供することが望ましいことは言うまでもない。
【発明の概要】
【００１６】
目的は、無線デバイスが無線通信ネットワークにアクセスできるようにするアクセス情報の提供に関して１つまたは複数の改善をもたらすことである。
【００１７】
本明細書における実施形態の第１の態様によれば、目的は、無線デバイスが、第１の無線通信ネットワークに含まれる第１の無線ネットワークノードを通じて第１の無線通信ネットワークにアクセスできるようにするアクセス情報を提供するための、第１のネットワークノードによって実行される方法により達成される。第１のネットワークノードは、第１のアクセス識別子および第１のアクセス情報コンパイレーション（ｃｏｍｐｉｌａｔｉｏｎ）を提供する。第１のアクセス識別子は、第１のアクセス情報コンパイレーションを識別する。第１のアクセス情報コンパイレーションは、無線デバイスが第１の無線ネットワークノードを通じて第１の無線通信ネットワークにアクセスできるようにするアクセス情報を識別する。第１のアクセス情報コンパイレーションは、前記アクセス情報の少なくとも一部を備え、かつ、第１のアクセス情報コンパイレーションとは異なる周波数および／または異なる時間で送信に関連付けられている別のさらなるアクセス情報コンパイレーションをどこで受信すべきかを識別する。
【００１８】
本明細書における実施形態の第２の態様によれば、目的は、処理回路によって実行されるとき、第１のネットワークノードに、第１の態様による方法を実行させる命令を備えるコンピュータプログラムにより達成される。
【００１９】
本明細書における実施形態の第３の態様によれば、目的は、第２の態様によるコンピュータプログラムを備えるデータキャリアにより達成される。
【００２０】
本明細書における実施形態の第４の態様によれば、目的は、無線デバイスが第１の無線ネットワークノードを通じて第１の無線通信ネットワークにアクセスできるようにするアクセス情報を取得するための、無線デバイスによって実行される方法により達成される。第１の無線ネットワークノードは、第１の無線通信ネットワークに含まれる。無線デバイスは、第１の無線ネットワークノードから、第１の無線ネットワークノードによって第１の周波数で送信される第１のアクセス識別子および第１のアクセス情報コンパイレーションを受信する。第１のアクセス識別子は、第１のアクセス情報コンパイレーションを識別する。第１のアクセス情報コンパイレーションは、無線デバイスが第１の無線ネットワークノードを通じて第１の無線通信ネットワークにアクセスできるようにするアクセス情報を識別する。第１のアクセス情報コンパイレーションは、前記アクセス情報の少なくとも一部を備え、かつ、第１のアクセス情報コンパイレーションとは異なる周波数および／または異なる時間で送信に関連付けられている別のさらなるアクセス情報コンパイレーションをどこで受信すべきかを識別する。
【００２１】
本明細書における実施形態の第５の態様によれば、目的は、処理回路によって実行されるとき、無線デバイスに、第４の態様による方法を実行させる命令を備えるコンピュータプログラムにより達成される。
【００２２】
本明細書における実施形態の第６の態様によれば、目的は、第５の態様によるコンピュータプログラムを備えるデータキャリアにより達成される。
【００２３】
本明細書における実施形態の第７の態様によれば、目的は、無線デバイスが第１の無線通信ネットワークに含まれる第１の無線ネットワークノードを通じて第１の無線通信ネットワークにアクセスできるようにするアクセス情報を提供するための第１のネットワークノードにより達成される。第１のネットワークノードは、第１のアクセス識別子および第１のアクセス情報コンパイレーションを提供するように設定される。第１のアクセス識別子は、第１のアクセス情報コンパイレーションを識別する。第１のアクセス情報コンパイレーションは、無線デバイスが第１の無線ネットワークノードを通じて第１の無線通信ネットワークにアクセスできるようにするアクセス情報を識別する。第１のアクセス情報コンパイレーションは、前記アクセス情報の少なくとも一部を備え、かつ、第１のアクセス情報コンパイレーションとは異なる周波数および／または異なる時間で送信に関連付けられている別のさらなるアクセス情報コンパイレーションをどこで受信すべきかを識別する。
【００２４】
本明細書における実施形態の第８の態様によれば、目的は、無線デバイスが第１の無線通信ネットワークに含まれる第１の無線ネットワークノードを通じて第１の無線通信ネットワークにアクセスできるようにするアクセス情報を取得するための無線デバイスにより達成される。無線デバイスは、第１の無線ネットワークノードから、第１の無線ネットワークノードによって第１の周波数で送信される第１のアクセス識別子および第１のアクセス情報コンパイレーションを受信するように設定される。第１のアクセス識別子は、第１のアクセス情報コンパイレーションを識別する。第１のアクセス情報コンパイレーションは、無線デバイスが第１の無線ネットワークノードを通じて第１の無線通信ネットワークにアクセスできるようにするアクセス情報を識別する。第１のアクセス情報コンパイレーションは、前記アクセス情報の少なくとも一部を備え、かつ、第１のアクセス情報コンパイレーションとは異なる周波数および／または異なる時間で送信に関連付けられている別のさらなるアクセス情報コンパイレーションをどこで受信すべきかを識別する。
【００２５】
したがって、本明細書における実施形態は、第１のアクセス情報コンパイレーション、たとえば第１のＡＩＴが、第１のアクセス情報コンパイレーションによって識別されるアクセス情報の少なくとも一部を備えるさらなるアクセス情報コンパイレーションにアクセスする方法、つまり指し示す方法を識別することを伴う。このようにすることで、たとえばアクセス情報およびその他のシステム関連の情報のような情報を無線デバイスに提供するため、ならびに無線デバイスが同情報を取得するための柔軟なフレームワークが可能になる。本明細書における実施形態による改善および利点は、たとえば以下の事項を含む。
−  実質的には同じ情報を備える異なるＡＩＴの必要性を軽減すること
−  ＡＩＴ情報の更新および変更を容易にすること、およびＡＩＴ情報が関与する無線通信ネットワーク内で整合している旨を確認すること
−  異なるＡＩＴ情報を異なる無線デバイスにブロードキャストできるようにすること
−  実質的に同じ時間において異なる周波数でブロードキャストされる必要のある情報の量を低減し、それによりネットワーク内の干渉を低減できるようにすること
−  どの情報がブロードキャストされるか、たとえば複製されるかどうかのより良好な制御および柔軟性を可能にすること
−  たとえば複数の無線ネットワークノードによって提供される複数のセルに関して、これらの無線ネットワークノードのいずれかを通じて無線通信ネットワークへのアクセスを試みる前に、改善された判断情報を無線デバイスに提供できるようにすること
【００２６】
本明細書における実施形態の例は、以下において簡単に説明されている添付の概略図を参照して、さらに詳細に説明される。
【図面の簡単な説明】
【００２７】
【図１ａ】アクセス情報テーブル（ＡＩＴ）とシステムシグニチャシーケンス（ＳＳＳ）が相互にどのように関連し得るかを概略的に説明する時間−周波数図である。
【図１ｂ】ＡＩＴおよびＳＳＳを採用する無線通信ネットワークの例を概略的に示すブロック図である。
【図２】本明細書における実施形態が実施され得る無線通信ネットワークの例を概略的に示すブロック図である。
【図３】本明細書における実施形態を説明するために結合されたシグナリング図および流れ図である。
【図４】実施形態の第１のタイプを概略的に示す結合図である。
【図５】実施形態の第２のタイプを概略的に示す結合図である。
【図６】実施形態の第３のタイプを概略的に示す結合図である。
【図７】実施形態の第４のタイプを概略的に示す結合図である。
【図８】第１のネットワークノードにおいて実行される方法の実施形態を概略的に示す流れ図である。
【図９】第１のネットワークノードの実施形態を示す機能ブロック図である。
【図１０】無線デバイスにおいて実行される方法の実施形態を概略的に示す流れ図である。
【図１１】無線デバイスの実施形態を示す機能ブロック図である。
【図１２ａ】第１のネットワークノードおよび無線デバイスに、方法アクションを実行させるコンピュータプログラム製品およびコンピュータプログラムに関する実施形態を示す概略図である。
【図１２ｂ】第１のネットワークノードおよび無線デバイスに、方法アクションを実行させるコンピュータプログラム製品およびコンピュータプログラムに関する実施形態を示す概略図である。
【図１２ｃ】第１のネットワークノードおよび無線デバイスに、方法アクションを実行させるコンピュータプログラム製品およびコンピュータプログラムに関する実施形態を示す概略図である。
【発明を実施するための形態】
【００２８】
背景技術において説明されている、たとえば以下のような、複数のＡＩＴなどの使用に関連したいくつかの問題が識別されている。
−  異なるＡＩＴの情報コンテンツは、情報がたとえ配信されても整合性を保持する必要がある。
−  ＡＩＴコンテンツを変更する場合、同時にすべてのＡＩＴのコンテンツを変更することが可能ではないことがあり、ＡＩＴは異なる時間インスタンスにおいて異なる周期性で送信される、異なる周波数帯域上であってもよい。
−  複数のＡＩＴは、どのＡＩＴを特定の無線デバイスが受信したかについて不確実性を生み出し、したがって、特定の無線デバイスがアクセス情報の変更を検出した場合に認識することは困難なことがある。
−  たとえば複数のオペレータのようなマルチステークホルダのシナリオにおいて、ステークホルダ、たとえば第１のオペレータは、すべてのネットワークノードを制御できるわけではなく、したがって別のステークホルダ、たとえば第２のオペレータによって制御される別のネットワークノードから送信された特定のＡＩＴを更新することが可能ではないことがある。マルチオペレータのシナリオにおいて、異なるＡＩＴを異なる無線デバイスにブロードキャストすることが望ましい場合がある。ＡＩＴに含まれている、たとえばＰＬＭＮ＿ＩＤリストのようなオペレータ識別リストのみを有することは、この可能性を制限する。
−  マルチＲＡＴのシナリオにおいて、別のＡＩＴでＡＩＴコンテンツを提供することが望ましい場合がある。その場合、システム情報を取得するために要する時間が増大してパフォーマンスの低下をもたらす可能性があるので、無線デバイスがネットワークから何の手助けもなくこのＡＩＴコンテンツを発見することは確実とは考えられない。
−  従来技術のＡＩＴおよびＳＳＳは、異なるソースから、たとえば異なるノード、異なる周波数帯域、またはＲＡＴから、ＡＩＴの情報の異なる部分を提供することを困難にしている。そのような情報は、たとえば、他の場所ではすでに使用可能であり得る「時間および日付参照」または「測位情報」であってもよい。
−  たとえば無線デバイスのデフォルトの振る舞いに関連する限られた量の情報のような、一部の情報が複製されることが許容されるとしても、測位に関連するような、通常はより広範囲にわたる情報であるその他の情報が複製されることを回避することが望ましい。
【００２９】
上記の問題を解決するため、または少なくとも軽減するために、本明細書における実施形態が基にする、解決策の簡単な例は、ＡＩＴにＡＩＴポインタを導入することであってもよい。たとえば、ＳＳＳに関連付けられているＡＩＴは、そのようなものとしてアクセス情報の代わりに、この情報が送信される別のさらなるＡＩＴへのポインタのみを含むことができる。前記その他のさらなるＡＩＴは、このＡＩＴを指し示す複数のＡＩＴに共通であってもよい。各々ＳＳＳの送信に関連付けられている複数の異なる周波数、つまり周波数帯域によるネットワークにおいて、１つの周波数、つまりこの周波数により表される１つの周波数帯域のみで送信されるのは、単一のそのような「共通のＡＩＴ」のみであってもよい。また、ＳＳＳに関連付けられているＡＩＴのフラグメントおよび／またはさらなるＡＩＴのフラグメントは、その他の追加のＡＩＴ内部で、またはその他の無線リソースに関連付けられている別個の送信として提供されてもよい。一例として、一部のＡＩＴフラグメント、つまり部分的ＡＩＴ情報は、ＬＴＥまたはＧＳＭのような別のＲＡＴによって提供されてもよい。
【００３０】
理解されるように、本明細書における実施形態はしたがって、送信される必要のある情報の合計量を低減することを可能にし、１つだけ、または少なくともわずかな数のＡＩＴで情報を更新することを可能にし、異なるステークホルダが各自の情報の部分のみを管理するかまたは更新し得るようにすることを可能にし、複製された情報を使用する必要性を軽減し、さまざまなソースからの情報の使用、およびすでに存在する情報のソースの（再）使用を容易にする。したがって、本明細書における実施形態は、無線デバイスが無線通信ネットワークにアクセスできるようにするアクセス情報の提供に関して改善をもたらす。
【００３１】
本明細書における実施形態は、これ以降、図面と併せてさらに詳細に説明される。
【００３２】
図２は、無線通信ネットワーク１００、たとえば電気通信ネットワークの例を示す。無線通信ネットワーク１００は、境界線によって示される第１の無線カバレッジエリア１１５に第１の無線カバレッジを提供する第１の無線ネットワークノード１１０、たとえば基地局、を備える。
【００３３】
本明細書において使用されるように、そのような「無線ネットワークノード」は、無線通信ネットワークの一部となるように、および直接的もしくは間接的に無線通信ネットワークの１つまたは複数の無線デバイスにサーブするための無線カバレッジを提供することの一部となるように設定された任意のデバイスを示すことができる。
【００３４】
本明細書において使用されるように、「無線カバレッジエリア」は、無線ネットワークノードによって提供される無線カバレッジの領域であり、無線カバレッジは、無線ネットワークノードが一部となっている、つまり含まれている無線通信ネットワークに無線デバイスがアクセスできるようにする。無線カバレッジエリアは、通常、以下の事項に関連付けられている。
無線カバレッジの無線周波数を示す１つの単一の周波数によって表され得る１つまたは複数の周波数、たとえば周波数レンジまたは周波数帯域
無線デバイスが無線ネットワークノードを通じて無線通信ネットワークにアクセスできるようにする、たとえばＡＩＴのようなアクセス情報コンパイレーション、および
無線カバレッジが、たとえば無線デバイスがアクセス識別子テーブルを見出してアクセスすることができるように、無線通信ネットワークへのアクセスおよびアクセス識別子テーブルの識別を可能にし得ることを無線デバイスが最初に識別できるようにする、たとえばＳＳＳのような、アクセス識別子。アクセス識別子のこの識別が暗黙的であってもよいこと、たとえば、アクセス識別子、たとえばＳＳＳが周波数上にある場合に、ＡＩＴのようなアクセス情報コンパイレーションもまた同じ周波数上に存在することが知られてもよい、たとえば事前決定されていてもよいことに留意されたい。さらに、アクセス識別子に関してなどのように、アクセス情報コンパイレーションが使用可能となる場所および／または時点が完全にまたは部分的に知られても、たとえば事前決定されていてもよい。たとえば、アクセス情報コンパイレーション、たとえばＡＩＴは、これが見られる場合、アクセス識別子の出現後、直ちに、または特定の時間内もしくは特定の時間後となることが事前決定されていてもよい。
【００３５】
言い換えれば、アクセス識別子、たとえばＳＳＳ、およびアクセス情報コンパイレーション、たとえばＡＩＴは、無線カバレッジエリア、たとえば第１の無線カバレッジエリア１１５に関連付けられており、それにより無線カバレッジを提供する無線ネットワークノード、たとえば第１の無線ネットワークノード１１０にも関連付けられている。
【００３６】
したがって、第１の無線カバレッジエリア１１５は、第１の周波数、第１のアクセス識別子、たとえば第１のＳＳＳ、および第１のアクセス情報コンパイレーション、たとえば第１のＡＩＴに関連付けられてもよい。
【００３７】
１つの同じ無線ネットワークノードが、複数の異なる無線カバレッジエリアを提供することができ、それらの無線カバレッジエリアが異なる周波数および／または異なるアクセス識別子、たとえばＳＳＳ、およびアクセス情報コンパイレーション、たとえばＡＩＴに関連付けられてもよいことに留意されたい。
【００３８】
さらに、アクセス情報コンパイレーション、たとえばＡＩＴを識別し、それにより無線デバイス、たとえば無線デバイス１２０がこのアクセス情報コンパイレーションにアクセスすることができる、たとえば発見して読み取ることができるようにすることに加えて、アクセス識別子、たとえばＳＳＳは、無線ネットワークノードを通じて第１の無線通信ネットワークにアクセスしようと試みる無線デバイスの時間同期参照としての機能を有することができる。また、アクセス識別子、たとえばＳＳＳをいつ送信したかは、無線カバレッジエリアに関連付けられている送信および受信電力に関する無線デバイスの参照としての役割を果たすことができる。
【００３９】
第１の無線通信ネットワーク１００は、境界線によって示される第２の無線カバレッジエリア１１６の第２の無線カバレッジを提供する、第２の無線ネットワークノード１１１、たとえば基地局をさらに備える。第２の無線カバレッジエリア１１６は、第２の周波数、第２のアクセス識別子、たとえば第２のＳＳＳ、および第２のアクセス情報コンパイレーション、たとえば第２のＡＩＴに関連付けられてもよい。
【００４０】
第１および第２の無線ネットワークノード１１０、１１１は、第１の無線通信ネットワーク１００の無線アクセスネットワーク（ＲＡＮ）部分に含まれてもよい。
【００４１】
無線デバイス１２０は、第１の無線カバレッジエリア１１５および第２の無線カバレッジエリア１１６に含まれることが示されている。
【００４２】
無線通信ネットワーク１００は、さらなるネットワークノード１３０のような、１つまたは複数のさらなるネットワークノードをさらに備えることができる。さらなるネットワークノード１３０は、第１の無線ネットワークノードおよび／または第２の無線ネットワークノード１１１を制御または管理するための制御および／または管理ネットワークノードであってもよい。さらなるネットワークノード１３０は、第１の無線通信ネットワーク１００のコアネットワーク部分に含まれるコアネットワークノードであってもよい。
【００４３】
第１の無線通信ネットワーク１００はまた、境界線によって示される第３の無線カバレッジエリア１１７の第３の無線カバレッジを提供する、第３の無線ネットワークノード１１２、たとえば基地局を備えることができる。
【００４４】
あるいは、第３の無線ネットワークノード１１２、および第３の無線カバレッジエリア１１７は、第２の無線通信ネットワーク１０１、たとえば電気通信ネットワークの一部に含まれる。第２の無線通信ネットワーク１０１は、第１の無線通信ネットワーク１００以外の別のオペレータによって操作される、および／または第１の無線通信ネットワーク１００以外の別の無線アクセス技術（ＲＡＴ）による無線通信ネットワークである、という点において異なることがある。たとえば、第１の無線通信ネットワーク１００は、５Ｇネットワークであってもよく、第２の無線通信ネットワーク１０１は、従来のネットワーク、たとえばＬＴＥ、ＵＭＴＳ、またはＧＳＭによるものであってもよい。
【００４５】
第３の無線カバレッジエリア１１７は、第３の周波数、第３のアクセス識別子、たとえば第３のＳＳＳ、および第３のアクセス情報コンパイレーション、たとえば第３のＡＩＴに関連付けられてもよい。
【００４６】
図２において無線カバレッジエリアが相互に関してどのように描かれているかは、例にすぎないことに留意されたい。たとえば、第２の無線カバレッジエリア１１６は、代わりに、第１の無線カバレッジエリア１１５に完全に含まれてもよい。一般に、無線カバレッジエリアは、図に示されているよりも、多少重複し、異なる重複のしかたをする場合がある。
【００４７】
図２が概略的なものにすぎず、例示を目的とするものであり、当業者には明らかであるように、図示されているすべてのものが本明細書におけるすべての実施形態に必要とされるわけではないことにも注目されたい。また、実際には第１の無線通信ネットワーク１００および／または第２の無線通信ネットワーク１０１に対応する無線通信ネットワークは、通常、当業者に理解されるように、複数のさらなるネットワークノード、基地局、無線カバレッジエリアなどを備えるが、これらは簡略化するために本明細書において示されていない。
【００４８】
図３は、結合されたシグナリング図および流れ図を示し、無線デバイス１２０が第１の無線ネットワークノード１１０を通じて第１の無線通信ネットワーク１００にアクセスできるようにするアクセス情報を管理するための、方法の実施形態の例、および関連する例を説明するために使用される。
【００４９】
アクション３０１
第１の無線ネットワークノード１１０は、上記で図２に関連して言及された第１のアクセス識別子および第１のアクセス情報コンパイレーション、たとえば第１のＳＳＳおよび第１のＡＩＴを提供する。したがって、第１のアクセス識別子は、第１のアクセス情報コンパイレーションを識別し、第１のアクセス情報コンパイレーションは、無線デバイス１２０が、第１の無線ネットワークノード１１０を通じて第１の無線通信ネットワーク１００にアクセスできるようにするアクセス情報を識別する。しかし、ここでは、たとえば背景技術において言及された従来技術のＡＩＴとは対照的に、第１のアクセス情報コンパイレーションは、別のさらなるアクセス情報コンパイレーションをどこで受信するかを識別する、つまりこのさらなるアクセス情報コンパイレーションに方向付けるかまたはこれを指し示す。さらなるアクセス情報コンパイレーションは、前記アクセス情報の少なくとも一部、つまり第１のアクセス情報コンパイレーションによって識別された一部を備える。言い換えれば、第１のアクセス情報コンパイレーションは、前記アクセス情報の少なくとも一部を識別する、たとえば備える、さらなるアクセス情報コンパイレーション、つまり別のアクセス情報コンパイレーションを指し示すことによって、前記アクセス情報を完全にまたは部分的に識別する。さらなるアクセス情報コンパイレーションは、第１のアクセス情報コンパイレーションとは異なる周波数、つまり異なる周波数帯域で、および／または異なる時間において、つまりたとえば異なる期間、時間範囲またはタイムスロットの間に、送信されることによって、または送信されるように設定されることによって、送信、たとえばブロードキャストに通常関連付けられている。
【００５０】
すでに上記で示されているように、第１のアクセス識別子は、第１のアクセス情報コンパイレーションを識別することに加えて、第１の無線ネットワークノード１１０を通じて第１の無線通信ネットワーク１００にアクセスしようと試みる無線デバイス、たとえば無線デバイス１２０の時間同期参照としての機能を果たすことができる。
【００５１】
さらなるアクセス情報コンパイレーションは、その他のアクセス情報の少なくとも一部を追加的に備えることができる。その他のアクセス情報は、無線デバイス１２０が、１つまたは複数のその他の周波数および／または無線ネットワークノード、たとえば第２の無線ネットワークノード１１１および／または第３の無線ネットワークノード１１２を通じて、第１の無線通信ネットワーク１００および／または別の無線通信ネットワーク、たとえば第２の無線通信ネットワーク１０１にアクセスできるようにする。つまり、さらなるアクセス情報コンパイレーションは、この場合、複数の周波数および／または無線ネットワークノードに関連付けられているアクセス情報を提供する共通のアクセス情報コンパイレーションであると見なされてもよく、このアクセス情報を指し示す複数のアクセス情報コンパイレーションによって共通に使用されてもよい。
【００５２】
本明細書において使用されるように、共通のアクセス情報コンパイレーション、たとえば共通のＡＩＴは、したがって、複数の周波数および／または無線ネットワークノードに共通であり、たとえば識別され、つまり前記複数のアクセス情報コンパイレーションの少なくとも一部、たとえば第１のアクセス情報コンパイレーション、第２のアクセス情報コンパイレーション、および／または第３のアクセス情報コンパイレーションによって指し示されている情報を備えるアクセス情報コンパイレーションを示すことができる。
【００５３】
第１のアクセス情報コンパイレーションは、以下の事項に関する情報を備えることによってさらなるアクセス情報テーブルをどこで受信するかを識別することができる。
−  どの周波数でさらなるアクセス情報コンパイレーションが送信されているか、たとえばブロードキャストされているか、および／または
−  さらなるアクセス情報コンパイレーションが送信される、たとえばブロードキャストされる時間
【００５４】
第１のアクセス情報コンパイレーションは、さらなるアクセス情報コンパイレーションへのアクセスを容易にする情報をさらに識別することができる。さらなるアクセス情報コンパイレーションへのアクセスを容易にする情報は、たとえばさまざまなアクセスオプションをテストして機能するものを見出す必要性を軽減することによって、たとえば迅速なアクセスを容易にすることができる。これは、たとえばさらなるアクセス情報コンパイレーションが送信される、たとえばブロードキャストされる周波数で、たとえばブラインド復号を試行する必要性を軽減することができる。さらなるアクセス情報コンパイレーションへのアクセスを容易にする前記情報は、以下の事項の１つまたは複数に関連する１つまたは複数のパラメータを備えることができる。
−  さらなるアクセス情報コンパイレーションの送信に使用される符号化方式
−  さらなるアクセス情報コンパイレーションを備える信号を復調する際に使用する復調用参照信号
−  さらなるアクセス情報コンパイレーションにアクセスする際に使用する時間同期用参照信号
−  さらなるアクセス情報コンパイレーションの提供に関連付けられているＲＡＴ
【００５５】
本アクションが、代替として、さらなるネットワークノード１３０によって実行されてもよく、このネットワークノード１３０は次いで本アクションにおいて、提供された第１のアクセス情報コンパイレーションおよび第１のアクセス識別子を第１の無線ネットワークノード１１０に追加的に送信して、第１の無線ネットワークノード１１０が、たとえば以下のアクション３０２および３０５を実行できるようにすることに留意されたい。
【００５６】
アクション３０２
第１の無線ネットワークノード１１０は、第１の周波数で、第１のアクセス識別子および第１のアクセス情報コンパイレーションを送信する、たとえばブロードキャストすることができる。つまり、第１のアクセス識別子および第１のアクセス情報コンパイレーションが、第１の無線カバレッジエリア１１５内で、たとえばブロードキャストを通じて、使用可能となる。無線デバイスは、送信された第１のアクセス識別子および第１のアクセス情報コンパイレーションを受信することができる。
【００５７】
一部の実施形態において、第１のアクセス情報コンパイレーションおよびさらなるアクセス情報コンパイレーションは、周期的にブロードキャストされ、さらなるアクセス情報コンパイレーションはより長い周期を備える。これにより、さらなるアクセス情報コンパイレーションの場合にあり得るような、膨大な量の情報の頻繁な送信、たとえばブロードキャストを回避することができるが、同時に、初期セル検索に対応する無線カバレッジの初期検索が実行されて、より頻繁に生じる第１のアクセス情報コンパイレーションの一部の情報に直接基づく可能性がある。つまり、これは、さらなるアクセス情報コンパイレーションを最初に受信する必要なく、セル検索に対応する初期無線カバレッジ検索を行えるようにする。次いで、１つの無線カバレッジエリアから別の無線カバレッジエリアに切り替える、つまりセル切り替えまたはハンドオーバに対応することは、さらなるアクセス情報コンパイレーションがすべての情報を含むので、継続が可能になるまで常に待機する必要がある場合に比べて、さらなるアクセス情報コンパイレーションが受信された場合に高速に実行され得る。これが上記で言及されている実施形態と組み合わされ、第１のアクセス情報コンパイレーションが、さらなるアクセス情報コンパイレーションが送信される時間に関連するパラメータを識別することによってさらなるアクセス情報コンパイレーションにアクセスする方法を識別する場合、無線デバイス１２０は、さらなるアクセス情報コンパイレーションを待つ間常に動作状態である必要はなく、したがって、たとえば無線デバイス１２０のバッテリ消費の低減が可能になる。
【００５８】
アクション３０３
アクション３０２に対応して、第２の無線ネットワークノード１１１は、第２の周波数で、第２のアクセス識別子および第２のアクセス情報コンパイレーションを送信する、たとえばブロードキャストすることができる。つまり、第２のアクセス識別子および第２のアクセス情報コンパイレーションが、第２の無線カバレッジエリア１１６内で、たとえばブロードキャストを通じて、使用可能となる。
【００５９】
第２のアクセス情報コンパイレーションは、前記さらなるアクセス情報コンパイレーションとは別個であってもよいが、一部の実施形態において第２のアクセス情報コンパイレーションは前記さらなるアクセス情報コンパイレーションである。次いで、無線デバイス１２０は、アクション３０２で受信した第１のアクセス情報コンパイレーションに基づいて、現在のアクションにおいて、送信されたさらなる、つまり第２のアクセス情報コンパイレーションを受信することができる。
【００６０】
アクション３０４
アクション３０２およびアクション３０３に対応して、第３の無線ネットワークノード１１２は、第３の周波数で、第３のアクセス識別子および第３のアクセス情報コンパイレーションを送信する、たとえばブロードキャストすることができる。つまり、第３のアクセス識別子および第３のアクセス情報コンパイレーションが、第３の無線カバレッジエリア１１７内で、たとえばブロードキャストを通じて、使用可能となる。
【００６１】
アクション３０５
無線デバイス１２０は、たとえばアクション３０３で受信した、さらなるアクセス情報コンパイレーションに基づいて、第１の無線ネットワークノード１１０を通じて第１の無線通信ネットワーク１００にアクセスすることができる。
【００６２】
無線デバイス１２０が無線通信ネットワーク１００にアクセスできるようにするアクセス情報を提供するために、第１のアクセス情報コンパイレーション、たとえば第１のＡＩＴが、さらなるアクセス情報コンパイレーション、たとえばさらなるＡＩＴにアクセスする方法を識別することを伴う、上記で説明されている実施形態は、主に図４を参照して後段においてさらに記述され説明される。
【００６３】
一部の実施形態において、第１のアクセス情報コンパイレーションおよび／またはさらなるアクセス情報コンパイレーションは、１つまたは複数の追加のアクセス情報コンパイレーション、たとえば第２のアクセス情報コンパイレーションおよび／または第３のアクセス情報コンパイレーションを識別する。１つまたは複数の追加のアクセス情報コンパイレーションは、送信、たとえばブロードキャストのためのものであってもよいか、または第１のアクセス情報コンパイレーションおよび／またはさらなるアクセス情報コンパイレーションとは異なる周波数および／または異なる時間で、送信される、たとえばブロードキャストされる。言い換えれば、第１のアクセス情報コンパイレーションおよび／またはさらなるアクセス情報コンパイレーションは、さらに別の、追加のアクセス情報コンパイレーションを指し示すことができる。これらの実施形態は、主として、図５〜図８に関連して後段において記述され説明される。
【００６４】
一部の、現在請求されていない実施形態において、第１のアクセス情報コンパイレーションは、さらなるアクセス情報コンパイレーションを識別することなく、前記１つまたは複数の追加のアクセス情報コンパイレーションを識別する。これらの実施形態において、図３に関連して上記で説明され、第１の無線ネットワークノード１１０および／または第１のネットワークノード１３０によって実行される方法は、無線デバイス１２０が、第１の無線ネットワークノード１１０を通じて第１の無線通信ネットワーク１００にアクセスできるようにするアクセス情報を管理するため、たとえば提供および／または取得するためのものである必要はない。代わりに、方法は、第１のアクセス情報コンパイレーションのシステム情報、または情報全般を無線デバイス１２０に提供するためのものであってもよい。このコンテキストにおけるシステム情報は、情報全般、およびたとえば、周波数および／またはネットワークノード固有ではないか、または第１の無線通信ネットワークもしくは任意の他の無線通信ネットワークに固有でもない任意の情報を示してもよい。つまり、システム情報は、第１の無線通信ネットワーク１００もしくは任意の他の無線通信ネットワークに含まれる複数の周波数および／または複数のネットワークノードに共通であるか、または無線通信ネットワーク間で共通の情報であってもよい。測位情報は、後者の例であり、オペレータ固有の情報は、前者と後者の場合の両方に有効となり得る例である。
【００６５】
いずれの場合であっても、本明細書における実施形態は、第１のアクセス情報コンパイレーション、たとえば第１のＡＩＴが、第１のアクセス情報コンパイレーションによって識別されるアクセス情報の少なくとも一部を備えるさらなるアクセス情報コンパイレーション、たとえばさらなる可能な共通のＡＩＴにアクセスする方法、つまり指し示す方法を識別することを伴う。このようにすることで、たとえばアクセス情報およびその他のシステム関連の情報のような情報を無線デバイスに提供するため、ならびに無線デバイスが同情報を取得するための柔軟なフレームワークが可能になる。本明細書における実施形態による改善および利点は、たとえば以下の事項を含む。
−  実質的には同じ情報を備える異なるＡＩＴの必要性を軽減すること
−  ＡＩＴ情報の更新および変更を容易にすること、およびＡＩＴ情報が関与する無線通信ネットワーク内で整合している旨を確認すること
−  異なるＡＩＴ情報を異なる無線デバイスにブロードキャストできるようにすること
−  実質的に同じ時間において異なる周波数でブロードキャストされる必要のある情報の量を低減し、それによりネットワーク内の干渉を低減できるようにすること
−  どの情報がブロードキャストされるか、たとえば複製されるかどうかのより良好な制御および柔軟性を可能にすること
−  たとえば複数の無線ネットワークノードによって提供される複数のセルに関して、これらの無線ネットワークノードのいずれかを通じて無線通信ネットワークへのアクセスを試みる前に、改善された判断情報を無線デバイスに提供できるようにすること
【００６６】
すでに上記で言及されているように、本明細書におけるさまざまな実施形態およびそれらのタイプは、図４〜図８に関連して後段においてさらに記述され説明される。
【００６７】
図４は、実施形態の第１のタイプを概略的に示す結合図である。図に示されているように、第１の無線カバレッジエリア１１５において、第１の無線ネットワークノード１１０は、第１のアクセス情報コンパイレーションに対応しこれを例示する第１のＡＩＴ４０１、および第１のアクセス識別子に対応しこれを例示する第１のＳＳＳ４０２を送信する、たとえばブロードキャストする。第１のＡＩＴ４０１および第１のＳＳＳ４０２は、第１の周波数を例示する周波数ｆ１で、送信される、たとえばブロードキャストされる。
【００６８】
さらに、第２の無線ネットワークノード１１１は、第２のアクセス情報コンパイレーションに対応しこれを例示する第２のＡＩＴ４１１、および第２のアクセス識別子に対応しこれを例示する第２のＳＳＳ４１２を送信する、たとえばブロードキャストする。
【００６９】
実施形態の第１のタイプにおいて、第２のアクセス情報コンパイレーションは、図３に関連して上記で説明されるように、さらなるアクセス情報コンパイレーションである、つまり第２のＡＩＴ４１１は、図において名付けられてもいるように、さらなる、および可能であれば共通のＡＩＴである。第２の、さらなるＡＩＴ４１１および第２のＳＳＳ４１２は、第２の周波数を例示する周波数ｆ２で、送信される、たとえばブロードキャストされる。
【００７０】
第１のＡＩＴ４０１は代替として、第２の共通のＡＩＴ４１１へのポインタのみのような最小限の情報を原則として備え得ることを示して「最小ＡＩＴ」と名付けられてもよい。この種のＡＩＴのその他の適切な名前は、「ポインタＡＩＴ」または「ダミーＡＩＴ」であってもよい。したがって、第１のＡＩＴ４０１は、たとえば、周波数、時間、コード、復調用参照信号、時間同期用参照信号、ＲＡＴのうちの１つまたは複数によって識別された、ここでは第２のさらなるＡＩＴ４１１を介して、無線デバイス１２０を無線リソースに向ける。
【００７１】
図に示されているものが例示にすぎず、第１のＡＩＴ４０１が追加のＡＩＴも指し示すこと、および／または別のＡＩＴへのポインタを使用することなく何らかの情報を直接含むこともあり得ることに留意されたい。
【００７２】
無線デバイスは、ＳＳＳ送信を検索して、周波数ｆ１で送信された第１のＳＳＳ４０２および周波数ｆ２で送信された第２のＳＳＳ４１２を見出すことができる。無線デバイス１２０がｆ１の第１のＳＳＳ４０２に関連付けられている第１のＡＩＴ４０１に最初にアクセスすると決めると仮定して、無線デバイス１２０は、第１の時点において、周波数ｆ１の第１のＡＩＴ４０１を復号し、それにより、この場合実際の情報を備える第２のさらなるＡＩＴ４１１が、たとえば図のＦＲＥＱ＿ＩＮＤＥＸにより明示される、周波数ｆ２で送信され、たとえば図のＴＩＭＥ＿ＩＮＤＥＸにより明示される、第２の時点において使用可能になることが通知される。次いで、無線デバイス１２０は、指し示された第２のさらなるＡＩＴ４１１にアクセスして復号を進める。第２のさらなるＡＩＴ４１１において、無線デバイス１２０は、周波数ｆ１で第１のＳＳＳ４０２を送信する第１の無線ネットワークノード１１０にアクセスする方法に関する情報を見出す。本明細書におけるこの例およびその他の例において、ＰＬＭＮ＿ＩＤはオペレータ識別情報であり、ＡＩＴのＰＬＭＮ＿ＩＤ＿ＬＩＳＴは、ＡＩＴが有効であり、無線デバイス１２０のサブスクリプション情報と好ましくは一致すべき１つまたは複数のＰＬＭＮ識別情報のリストであってもよい。また、ＲＡＣＨ＿ＣＯＮＦＩＧは、ＲＡＣＨを規定するパラメータ、たとえばプリアンブルシーケンス、電力制御、バックオフなど、を備える。たとえばさらなる無線ネットワークノード、たとえば周波数ｆ２で第２のＳＳＳ４１２を送信、たとえばブロードキャストする第２の無線ネットワークノード１１１、を通じて無線通信ネットワーク１００にアクセスする方法に関する情報のような、ここで示されている以外の、たとえば第２のさらなるＡＩＴ４１１のようなＡＩＴにその他の情報も通常はあってもよく、通常はある。
【００７３】
第１および第２の無線カバレッジエリア１１５、１１６のサイズによって図に示されているように、第１および第２のＳＳＳ４０２、４１２を送信、たとえばブロードキャストする第１および第２の無線ネットワークノード１１０、１１１は、非常に異なる送信電力を有することがある。無線デバイス１２０が、周波数ｆ２の高電力の第２の無線ネットワークノード、または周波数ｆ１の低電力の第１の無線ネットワークノード１１０のいずれに接続すべきかの実際の判断は、受信電力と、第１および第２のＳＳＳ４０２、４１２の送信電力の知識の両方に依存する可能性がある。たとえば図のＣＯＭＭＯＮ＿ＡＩＴ＿ＰＯＩＮＴＥＲによって明示される、第２のさらなるＡＩＴ４１１へのポインタを使用することによって、周波数ｆ１の低電力の第１の無線ネットワークノード１１０にアクセスする任意の無線デバイス１２０が、周波数ｆ２の高電力の第２の無線ネットワークノード１１１を認識すること、あるいはその逆も確実に行うことができる。これにより、無線デバイスは、第１の無線通信システム１００にアクセスするためにどの無線ネットワークノードを使用するかについて適正かつ適切な選択および判断を行うための情報にアクセスすることができるようになる。
【００７４】
図において理解されるように、第１のＡＩＴ４０１および第２のさらなるＡＩＴ４１１は、アクション３０２の下に上記ですでに説明され、後段でさらに例示されるように、第２のさらなるＡＩＴ４１１を実質的により長い周期にして、周期的に送信、たとえばブロードキャストされてもよい。
【００７５】
第２のさらなるＡＩＴ４１１は、好ましくは、第１のＡＩＴ４０１およびこれを指し示す任意の他のＡＩＴよりもわずかに遅れて送信される。これは、第１のＡＩＴ４０１が無線デバイス１２０によって受信されて、無線デバイスがたとえば第２のさらなるＡＩＴ４１１へのポインタ、たとえば図に示されるＣＯＭＭＯＮ＿ＡＩＴ＿ＰＯＩＮＴＥＲを復号し、それにより第２のさらなるＡＩＴ４１１を受信する場所および方法を認識した後に、第２のさらなるＡＩＴ４１１を待つ時間を短く抑えるためである。一般に、第２のさらなるＡＩＴ４１１がいつ送信、たとえばブロードキャストされるかについての情報に基づいて第１のＡＩＴ４０１を送信すること、またはその逆は、有利となり得る。これは、無線デバイス１２０によって第２のさらなるＡＩＴ４１１を不必要に待つことを回避して、たとえばバッテリ消費を低減できるようにし、それを確実にするために使用されてもよい。第１のＡＩＴ４０１が指し示す第２のさらなるＡＩＴ４１１のブロードキャストの待機時間が短く、第１のＡＩＴ４０１が受信された後に可能な限り早急に第２のさらなるＡＩＴ４１１が受信され得ることが望ましい。好ましくは、第１のＡＩＴ４０１が送信され、次いで、第２のさらなるＡＩＴ４１１が送信、たとえばブロードキャストされる前に、無線デバイス１２０を含むすべての潜在的に関連する無線デバイスにより、第１のＡＩＴ４０１が適正に受信されて処理されることを可能にする、できる限り短いが適切な時間ギャップがあってもよい。
【００７６】
たとえば第１のＡＩＴ４０１および第２のさらなるＡＩＴ４１１のようなＡＩＴのいずれかが、いつ送信、たとえばブロードキャストされるかについての情報は、事前規定され、および／または事前決定されていてもよい。これらのＡＩＴのうちの１つの送信、たとえばブロードキャストは、その他のＡＩＴが送信、たとえばブロードキャストされたか、またはされる時点によってトリガされてもよい。ＡＩＴは、たとえば、相互に関してオフセットされた同期周期で、送信、たとえばブロードキャストされてもよく、その周期性は、同じであるか、または一方が他方の整数倍である。オフセットは、少なくとも、第２のさらなるＡＩＴ４１１が、第１のＡＩＴ４０１のブロードキャストの前よりも後よりに生じるように、しかし好ましくは、上記で説明されているように待機時間ができる限り短いようにすべきである。
【００７７】
示されている例において、第２のさらなるＡＩＴ４１１および第１のＡＩＴ４０１は、異なる周波数での送信に関連付けられている。しかし、一部の実施形態において、第１のＡＩＴ４０１および第２のさらなるＡＩＴ４１１は、その代わりに、同じ周波数での送信、たとえばブロードキャストに関連付けられている。たとえ同じ周波数であっても、第２のさらなるＡＩＴ４１１を別個のテーブルとして、ただし別のＡＩＴ、たとえば第１のＡＩＴ４０１を送信するためにも使用される周波数で、送信することはより効率的となり得る。これについては、後段においてさらに例示される。
【００７８】
したがって、図４には示されていない一部の実施形態において、周波数ｆ１およびｆ２は等しい、つまり第１のＡＩＴ４０１と第２のさらなるＡＩＴ４１１は同じ周波数で送信される。そのような場合、第１の無線ネットワークノード１１０は、たとえば第１のＡＩＴ４０１のポインタを、同じ周波数で動作している第２のネットワークノード１１１が、第２のさらなるＡＩＴ４１１を送信する時点に送信することができる。
【００７９】
同様に図４に示されていない一部の実施形態において、第１のＡＩＴ４０１および第２のさらなるＡＩＴ４１１は、同じ周波数で同じ無線ネットワークノードによって送信される、つまりここでも、第１のＡＩＴ４０１は、第２のさらなるＡＩＴ４１１および第２のＳＳＳ４１２が送信される周波数と同じ周波数を指し示す。第２のさらなるＡＩＴ４１１が比較的大きく、ほとんど送信されない場合、同じ無線ネットワークノードによって同じ周波数でブロードキャストされた多数の追加のより小さいＡＩＴを導入することは、初期セル検索に対応する、無線カバレッジエリアの初期検索を実行するときに無線デバイス１２０を補助することができる。第２のさらなるＡＩＴ４１１が、たとえば１０．２４秒ごとに送信される場合、第２のさらなるＡＩＴ４１１がいつ送信されるかについてより小さいＡＩＴが無線デバイス１２０に通知する、そのような小さいＡＩＴを１００〜１０００ｍｓごとに導入することは、無線デバイス１２０のバッテリ消費を低減して初期セル検索を迅速化することができる。
【００８０】
図５は、実施形態の第２のタイプを概略的に示す結合図である。実施形態の第２のタイプは、図３を説明する文章に続く文章で前述されているものと同種であり、ここで第１のアクセス情報コンパイレーションおよび／またはさらなるアクセス情報コンパイレーションは、１つまたは複数の追加のアクセス情報コンパイレーションを識別する、つまり指し示す。特に、実施形態の第２のタイプは、１つまたは複数の追加のアクセス情報コンパイレーションが、第１のアクセス情報コンパイレーションおよび／またはさらなるアクセス情報コンパイレーションの部分情報を備える時点に関連する。または、言い換えると、１つまたは複数の追加のアクセス情報コンパイレーションが、１つまたは複数の追加のアクセス情報コンパイレーションを指し示すアクセス情報コンパイレーションの部分情報を備える時点である。そのような１つまたは複数の追加のアクセス情報コンパイレーションは、後段において、部分アクセス情報コンパイレーションと名付けられる。図に示されているのは、第１のアクセス情報コンパイレーションの部分情報が、いつ前記１つまたは複数の追加のアクセス情報コンパイレーションに含まれるかの例である。
【００８１】
示される例において、第１の無線ネットワークノード１１０は、第１の無線カバレッジエリア１１５において、第１のアクセス情報コンパイレーションに対応しこれを例示する第１のＡＩＴ５０１を送信、たとえばブロードキャストする。第１の無線ネットワークノード１１０はまた、第１のＡＩＴ５０１に関連付けられて第１のアクセス識別子を例示する第１のＳＳＳ５０２をブロードキャストする。第１のＡＩＴ５０１および第１のＳＳＳ５０２は、第１の周波数を例示する周波数ｆ１で、送信される、たとえばブロードキャストされる。
【００８２】
さらに、示される例において、第２の無線ネットワークノード１１１は、第２の無線カバレッジエリア１１６において、各々が第２のアクセス情報コンパイレーションも例示する、前記部分アクセス情報コンパイレーションに対応してこれを例示する第１の部分ＡＩＴ５１１ａ、第２の部分ＡＩＴ５１１ｂ、および第３の部分ＡＩＴ５２１を送信する、たとえばブロードキャストする。示されている例において、第１の部分ＡＩＴ５１１ａは、現地時間に関する情報を備え、第２の部分ＡＩＴ５１１ｂは、測位情報を備え、第３の部分ＡＩＴ５２１は、ページング情報を備える。第２の無線ネットワークノード１１１はまた、第１の部分ＡＩＴ５１１ａおよび第２の部分ＡＩＴ５１１ｂに関連付けられている第２のＳＳＳ５１２、および第３の部分ＡＩＴ５２１に関連付けられている第３のＳＳＳ５２２をブロードキャストする。第２のＳＳＳ５１２および第３のＳＳＳ５２２は、各々第２のアクセス識別子を例示する。第１の部分ＡＩＴ５１１ａ、第２の部分ＡＩＴ５１１ｂ、および第２のＳＳＳ５１２は、第２の周波数を例示する周波数ｆ２ａでブロードキャストされる。第３の部分ＡＩＴ５２１および第３のＳＳＳ５２２は、同様に第２の周波数を例示する周波数ｆ２ｂでブロードキャストされる。
【００８３】
したがって、図に示されるように、第１のＡＩＴ５０１は、各々が第１のＡＩＴ５０１によって識別されている情報の部分に関する、部分ＡＩＴを識別する、つまり指し示す。
【００８４】
さらに図５において示されるように、ＡＩＴの情報の一部は、別の周波数で提供されてもよい。部分ＡＩＴの特定の情報の共通の送信は、たとえば時間情報、測位情報、ページング情報、ＰＬＭＮ情報、ＳＳＳ−アクセス情報マッピングなどに関連してもよい。
【００８５】
実施形態の第２のタイプは、たとえば、時間プロビジョニングのような、特定の機能がすでにレガシーＲＡＴによって提供されているマルチＲＡＴのシナリオにおいて特に重要となり得る。異なる部分ＡＩＴが、異なる周期性で送信されてもよい。
【００８６】
図６は、実施形態の第３のタイプを概略的に示す結合図である。実施形態の第３のタイプはまた、図３を説明する文章に続く文章で前述されているものと同種であり、ここで第１のアクセス情報コンパイレーションおよび／またはさらなるアクセス情報コンパイレーションは、１つまたは複数の追加のアクセス情報コンパイレーションを識別する。図は、第１のアクセス情報コンパイレーションが、１つまたは複数の追加のアクセス情報コンパイレーションを識別するときの例を示す。特に、実施形態の第３のタイプは、追加の１つまたは複数のアクセス情報コンパイレーションが、第１の無線通信ネットワーク１００および／または第２の無線通信ネットワーク１０１に関連付けられている１つまたは複数のオペレータに固有である時点に関連する。
【００８７】
図に示されるように、第１の無線ネットワークノード１１０は、第１の無線カバレッジエリア１１５において、第１のアクセス情報コンパイレーションに対応しこれを例示する第１のＡＩＴ６０１を送信、たとえばブロードキャストする。第１の無線ネットワークノード１１０はまた、第１のＡＩＴ６０１に関連付けられて第１のアクセス識別子を例示する第１のＳＳＳ６０２をブロードキャストする。第１のＡＩＴ６０１および第１のＳＳＳ６０２は、第１の周波数を例示する周波数ｆ１で、送信される、たとえばブロードキャストされる。
【００８８】
さらに、示される例において、第２の無線ネットワークノード１１１は、第２の無線カバレッジエリア１１６において、前記１つまたは複数の追加のアクセス情報コンパイレーションおよびさらに第２のアクセス情報コンパイレーションのうちの１つに対応してこれを例示する第１のオペレータ固有のＡＩＴ６１１を送信する、たとえばブロードキャストする。示される例において、第１のオペレータ固有のＡＩＴ６１１は、実質的に、図４に関連して上記で説明される実施形態の第１のタイプにおける第２のさらなるＡＩＴ４１１と同じタイプの情報を、ただし図によれば１つの同じオペレータ「Ｏｐｅｒａｔｏｒ２」のためだけに備える。第２の無線ネットワークノード１１１はまた、第１のオペレータ固有のＡＩＴ６１１に関連付けられている第２のＳＳＳ６１２をブロードキャストする。第２のＳＳＳ６１２は、第２のアクセス識別子を例示する。第１のオペレータ固有のＡＩＴ６１１および第２のＳＳＳ６１２は、第２の周波数を例示する周波数ｆ２でブロードキャストされる。
【００８９】
さらに、示される例において、第３の無線ネットワークノード１１２は、第３の無線カバレッジエリア１１７において、前記１つまたは複数の追加のアクセス情報コンパイレーションの別の１つに対応してこれを例示する第２のオペレータ固有のＡＩＴ６２１を送信する、たとえばブロードキャストする。示される例において、さらに、第２のオペレータ固有のＡＩＴ６２１は、実質的に、図４に関連して上記で説明されている実施形態の第１のタイプにおける第２のさらなるＡＩＴ４１１と同じタイプの情報を、ただし図によればこの場合「Ｏｐｅｒａｔｏｒ１」である１つの同じオペレータのために備える。したがって、第１および第２のオペレータ固有のＡＩＴ６１１、６２１は、同じタイプの情報を、異なるオペレータのために備える。情報を別個のオペレータ固有のＡＩＴに分割することの利点は、たとえば、各オペレータが同じネットワークまたは別のネットワーク内の他のオペレータと別個に情報にアクセスして更新、変更などを行うことができることである。第２の無線ネットワークノード１１１はまた、第２のオペレータ固有のＡＩＴ６２１に関連付けられている第３のＳＳＳ６２２をブロードキャストする。第３のＳＳＳ６２２は、第３のアクセス識別子を例示する。第２のオペレータ固有のＡＩＴ６２１および第３のＳＳＳ６２２は、第３の周波数を例示する周波数ｆ３でブロードキャストされる。
【００９０】
図は、ここでは第１のＡＩＴ６０１であるＡＩＴが、特定のオペレータに関連付けられている無線デバイスのみについて関連するポインタを含むことができるマルチステークホルダのシナリオを示す。第１の無線ネットワークノード１１０は、サードパーティネットワークノードであってもよく、第１のＡＩＴ６０１は、オペレータの所属に従って無線デバイスに関連する情報を含むことができる。たとえば、無線デバイス１２０が、たとえば「Ｏｐｅｒａｔｏｒ２」に関連付けられている加入者識別モジュール（ＳＩＭ）カードを有する場合、無線デバイス１２０は、関連するＡＩＴで時間ｔ２において周波数ｆ２で送信される第１のＡＩＴ６０１内の情報を見出すことになる、つまり第１のＡＩＴ６０１は情報について第１のオペレータ固有のＡＩＴ６１１を指し示す。周波数帯域ｆ１の第２のオペレータ固有のＡＩＴ６２１は、第１のオペレータ固有のＡＩＴ６１１以外のヘッダ内の別のＰＬＭＮ＿ＩＤを有することができるが、異なるオペレータに関連付けられている無線デバイスに、第３の無線ネットワークノード１１２にアクセスする方法に関する情報を見出すことができる場所について引き続き通知する。さらに、これらの実施形態の無線デバイス１２０が、各自のオペレータを使用して特定の第３のパーティノードにアクセスする方法に関する情報を取得するので、オペレータは、無線デバイス１２０がオペレータの制御範囲外のノードにアクセスする前に、適正なネットワーク選択ルールが確実に実施されるようにすることができる。
【００９１】
図７は、実施形態の第４のタイプを概略的に示す結合図である。実施形態の第４のタイプはまた、図３を説明する文章に続く文章で前述されているものと同種であり、ここで第１のアクセス情報コンパイレーションおよび／またはさらなるアクセス情報コンパイレーションは、１つまたは複数の追加のアクセス情報コンパイレーションを識別する。図は、第１のアクセス情報コンパイレーションが、１つまたは複数の追加のアクセス情報コンパイレーションを識別するときの例を示す。特に、実施形態の第４のタイプは、たとえば、前記１つまたは複数の追加のアクセス情報コンパイレーションの少なくとも一部が、第１の無線通信ネットワーク１００以外の別のＲＡＴに関連付けられている時点に関連する。これらはまた、第１のアクセス情報コンパイレーションおよび／またはさらなるアクセス情報コンパイレーションが、前記１つまたは複数の追加のアクセス情報コンパイレーションの少なくとも一部を用いて、１つまたは複数のさらなる無線通信ネットワーク、たとえば第２の無線通信ネットワーク１０１、および／またはさらなる無線ネットワークノード、たとえば第２の無線ネットワークノード１１１および／または第３の無線ネットワークノード１１２に関連付けられる時点に関連する。これにより、無線デバイス１２０は、たとえば第１の無線ネットワークノード１１０を通じて第１の無線通信ネットワーク１００にアクセスする前に代替手段を評価できるようにされる。
【００９２】
図に示されるように、第１の無線ネットワークノード１１０は、第１の無線カバレッジエリア１１５において、第１のアクセス情報コンパイレーションに対応しこれを例示する第１のＡＩＴ７０１を送信、たとえばブロードキャストする。第１の無線ネットワークノード１１０はまた、第１のＡＩＴ７０１に関連付けられて第１のアクセス識別子を例示する第１のＳＳＳ７０２を送信する、たとえばブロードキャストする。第１のＡＩＴ７０１および第１のＳＳＳ７０２は、第１の周波数を例示する周波数ｆ１で、送信される、たとえばブロードキャストされる。
【００９３】
さらに、示される例において、第２の無線ネットワークノード１１１は、第２の無線カバレッジエリア１１６において、前記１つまたは複数の追加のアクセス情報コンパイレーションのうちの１つに対応してこれを例示する第１のＲＡＴ  ＡＩＴ７１１を送信する、たとえばブロードキャストし、これはまた第２のアクセス情報コンパイレーションを例示する。第１のＲＡＴ  ＡＩＴ７１１は、実質的に、図４に関連して上記で説明されている実施形態の第１のタイプにおける第２のさらなるＡＩＴ４１１と同じタイプの情報を備えることができる。第２の無線ネットワークノード１１１はまた、第１のＲＡＴ  ＡＩＴ７１１に関連付けられている第２のＳＳＳ７１２を送信する、たとえばブロードキャストする。第２のＳＳＳ７１２は、第２のアクセス識別子を例示する。第１のＲＡＴ  ＡＩＴ７１１および第２のＳＳＳ７１２は、第２の周波数を例示する周波数ｆ２で、送信される、たとえばブロードキャストされる。
【００９４】
示されている例において、第１および第２の無線ネットワークノード１１１、１１２は、第１のＲＡＴ、たとえば５Ｇに従って、周波数ｆ１、ｆ２で動作して無線カバレッジを提供する。
【００９５】
さらに、示される例において、第３の無線ネットワークノード１１２は、第３の無線カバレッジエリア１１７において、前記１つまたは複数の追加のアクセス情報コンパイレーションのうちの別の１つに対応してこれを例示する第２のＲＡＴ  ＡＩＴ７２１を送信する、たとえばブロードキャストし、これはまた第３のアクセス情報コンパイレーションを例示する。第３の無線ネットワークノード１１２は、第２のＲＡＴ、たとえばＬＴＥに従って、周波数ｆ３で動作して無線カバレッジを提供する。
【００９６】
さらに、第２のＲＡＴ  ＡＩＴ７２１は、実質的に、図４に関連して上記で説明されている実施形態の第１のタイプにおける第２のさらなるＡＩＴと同じタイプの情報を備えることができる。いずれの場合にも、第２のＲＡＴ  ＡＩＴ７２１が、別のＲＡＴ、たとえばＬＴＥのＡＩＴを識別する、つまり指し示すことができ、したがって情報はその他のＲＡＴから収集されてもよい。これは、たとえば、判断、たとえばハンドオーバ判断を行う前にオプションについてより良好に通知されるために、および／または特定の情報が別のＲＡＴでのみ、またはすでに使用可能である場合に有利となり得る。実施形態の第４のタイプにより、そのような「その他のＲＡＴ」情報が、第１の無線通信ネットワーク１００およびそこでサーブされる無線デバイス、たとえば無線デバイス１２０に使用可能にされ得る。ＬＴＥにおいて、アクセス情報コンパイレーション、たとえば、第２のＲＡＴ  ＡＩＴ７２１のような、ＡＩＴまたは類似するものは、複数の異なる方法で、たとえば、例をいくつかあげるだけでも、マルチキャスト／ブロードキャスト単一周波数ネットワーク（ＭＢＳＦＮ）サブフレームで、マルチメディアブロードキャストマルチキャストサービス（ＭＢＭＳ）として、または新しいシステム情報ブロック（ＳＩＢ）として、提供されてもよい。したがって、実施形態の第４のタイプは、無線デバイス１２０に、初期アクセスを行う前にいくつかの周波数およびいくつかのＲＡＴをチェックするように強制する目的で複数のＡＩＴポインタを伴うことができる。無線デバイス１２０の能力、たとえばどのＲＡＴをサポートするかに応じて、一部のＲＡＴに関連付けられているネットワークおよびＲＡＴ  ＡＩＴを検出することが常に可能であるとは限らないことに留意されたい。
【００９７】
図８は、無線デバイス、たとえば無線デバイス１２０が、第１の無線通信ネットワーク１００に含まれる第１の無線ネットワークノード、たとえば第１の無線ネットワークノード１１０を通じて、第１の無線通信ネットワーク、たとえば第１の無線通信ネットワーク１００にアクセスできるようにするアクセス情報を提供するための、第１のネットワークノード、たとえば第１の無線ネットワークノード１１０またはさらなるネットワークノード１３０によって実行される方法の実施形態を概略的に示す流れ図である。
【００９８】
簡略化するため、方法は、後段において、方法を実行する第１のネットワークノードを例示する第１の無線ネットワークノード１１０により説明される。しかし、上記で示されているように、以下のアクションは、該当する場合、たとえばさらなるネットワークノード１３０によっても実行され得る。
【００９９】
方法は、以下のアクションを備えることができるが、アクションは任意の適切な順序で行われてもよい、および／または可能であり適切である場合に時間的に完全にまたは部分的に重複して実行されてもよい。
【０１００】
アクション８０１
第１の無線ネットワークノード１１０は、たとえば上記で例示されているような、第１のアクセス識別子および第１のアクセス情報コンパイレーションを提供する。第１のアクセス識別子は、第１のアクセス情報コンパイレーションを識別する。第１のアクセス情報コンパイレーションは、無線デバイス１２０が、第１の無線ネットワークノード１１０を通じて第１の無線通信ネットワーク１００にアクセスできるようにするアクセス情報を識別する。さらに、第１のアクセス情報コンパイレーションは、前記アクセス情報の少なくとも一部を備え、かつ、第１のアクセス情報コンパイレーションとは異なる周波数および／または異なる時間で送信に関連付けられている、たとえば上記で例示されているような、別のさらなるアクセス情報コンパイレーションをどこで受信すべきかを識別する。
【０１０１】
一部の実施形態において、第１のアクセス識別子は、第１のアクセス情報コンパイレーションを識別することに加えて、第１の無線ネットワークノード１１０を通じて第１の無線通信ネットワーク１００にアクセスしようと試みる無線デバイス、たとえば無線デバイス１２０の時間同期参照としての機能を果たす。
【０１０２】
第１のアクセス情報コンパイレーションは、以下の事項に関する情報を備えることによってさらなるアクセス情報コンパイレーションをどこで受信するかを識別することができる。
どの周波数でさらなるアクセス情報コンパイレーションが送信されているか、および／または
さらなるアクセス情報コンパイレーションが送信される時間
【０１０３】
さらに、第１のアクセス情報コンパイレーションは、さらなるアクセス情報コンパイレーションへのアクセスを容易にする情報をさらに識別することができる。この情報は、以下の事項のうちの１つまたは複数に関連する１つまたは複数のパラメータを備えることができる。
さらなるアクセス情報コンパイレーションの送信に使用される符号化方式
さらなるアクセス情報コンパイレーションを備える信号を復調する際に使用する復調用参照信号
さらなるアクセス情報コンパイレーションにアクセスする際に使用する時間同期用参照信号
さらなるアクセス情報コンパイレーションの提供に関連付けられているＲＡＴ
【０１０４】
一部の実施形態において、さらなるアクセス情報コンパイレーションは、その他のアクセス情報の少なくとも一部を追加的に備える。その他のアクセス情報は、無線デバイス１２０が、１つまたは複数のその他の周波数および／または無線ネットワークノード、たとえば第２の無線ネットワークノードおよび／または第３の無線ネットワークノード１１１、１１２を通じて、第１の無線通信ネットワーク１００および／または別の第２の無線通信ネットワーク１０１にアクセスできるようにする。したがって、さらなるアクセス情報コンパイレーションは、複数の周波数および／または無線ネットワークノードに関連付けられているアクセス情報を提供する。
【０１０５】
一部の実施形態において、前記さらなるアクセス情報コンパイレーションは、さらなるアクセス情報コンパイレーションにアクセスする方法を識別するアクセス情報コンパイレーションと同じ周波数で送信される。
【０１０６】
さらに、一部の実施形態において、前記第１のアクセス情報コンパイレーションおよびさらなるアクセス情報コンパイレーションは、周期的に送信され、さらなるアクセス情報コンパイレーションは実質的により長い周期を備える。
【０１０７】
さらに、一部の実施形態において、第１のアクセス情報コンパイレーションは、さらなるアクセス情報コンパイレーションが送信されるときの情報に基づいて送信されるか、またはさらなるアクセス情報コンパイレーションは、第１のアクセス情報コンパイレーションが送信されるときの情報に基づいて送信される。
【０１０８】
さらに、一部の実施形態において、第１のアクセス情報コンパイレーションおよび／またはさらなるアクセス情報コンパイレーションは、１つまたは複数の追加のアクセス情報コンパイレーションを識別することができる。
【０１０９】
前記１つまたは複数の追加のアクセス情報コンパイレーションは、第１のアクセス情報コンパイレーションおよび／またはさらなるアクセス情報コンパイレーションの部分情報を備えることができる。
【０１１０】
前記１つまたは複数の追加のアクセス情報コンパイレーションの少なくとも一部は、第１の無線通信ネットワーク１００および／または第２の無線通信ネットワーク１０１の１つまたは複数のオペレータに固有であってもよい。
【０１１１】
前記１つまたは複数の追加のアクセス情報コンパイレーションの少なくとも一部は、第１の無線通信ネットワーク１００以外の別のＲＡＴに関連付けられてもよい。
【０１１２】
第１のアクセス情報コンパイレーションおよび／またはさらなるアクセス情報コンパイレーションは、前記１つまたは複数の追加のアクセス情報コンパイレーションの少なくとも一部を用いて、１つまたは複数のさらなる無線通信ネットワーク、たとえば第２の無線通信ネットワーク１０１、および／またはさらなる無線ネットワークノード、たとえば第２の無線ネットワークノードおよび／または第３の無線ネットワークノード１１１、１１２に関連付けられてもよい。これにより、無線デバイス１２０は、第１の無線ネットワークノード１１０を通じて第１の無線通信ネットワーク１００にアクセスする前に代替手段を評価できるようにされる。
【０１１３】
このアクションは、上記のアクション３０１に完全にまたは部分的に対応することができる。
【０１１４】
アクション８０２
第１の無線ネットワークノード１１０は、第１の周波数で、第１のアクセス識別子および第１のアクセス情報コンパイレーションを送信することができる。
【０１１５】
このアクションは、上記のアクション３０２に完全にまたは部分的に対応することができる。
【０１１６】
図９は、無線デバイス１２０が、第１の無線ネットワークノード１１０を通じて第１の無線通信ネットワーク１００にアクセスできるようにするアクセス情報を管理するための、第１のネットワークノード、たとえば第１の無線ネットワークノード１１０またはさらなるネットワークノード１３０の実施形態を説明するための概略ブロック図である。図は、特に、無線デバイス１２０が、図８に関連して上記で説明されている方法およびアクションを実行するように設定され得る方法を示すためのものである。第１の無線ネットワークノード１１０は、以下において第１のネットワークノードを例示するために使用されるが、適切な場合には、第１のネットワークノードの例でもあるさらなるネットワークノード１３０によって置き換えられてもよい。
【０１１７】
第１の無線ネットワークノード１１０は、たとえば前記方法および／またはアクションを実行するための１つまたは複数のプロセッサ、および／または１つまたは複数のソフトウェアモジュールを含む、１つまたは複数のハードウェアモジュールの手段のような、処理モジュール９０１を備えることができる。
【０１１８】
第１のネットワークノード１１０は、コンピュータプログラム９０３を、含むかまたは格納するなど、備えることができるメモリ９０２をさらに備えることができる。コンピュータプログラムは、前記方法および／またはアクションを実行するように第１の無線ネットワークノード１１０によって直接または間接的に実行可能な「命令」または「コード」を備える。メモリ９０２は、１つまたは複数のメモリユニットを備えることができ、本明細書における実施形態の機能およびアクションを実行する際に関与するかまたは実行するための設定および／またはアプリケーションのような、データを格納するようにさらに配列されてもよい。
【０１１９】
さらに、第１の無線ネットワークノード１１０は、例示するハードウェアモジュールとして処理回路９０４を備えることができ、１つまたは複数のプロセッサを備えるか、またはそのプロセッサに対応することができる。一部の実施形態において、処理モジュール９０１は、処理回路９０４を備える、たとえば処理回路９０４「の形態で具現される」かまたは「により実現される」ことができる。これらの実施形態において、メモリ９０２は、処理回路９０４によって実行可能なコンピュータプログラム９０３を備えることができ、それにより第１の無線ネットワークノード１１０は、前記方法および／またはアクションを実行するように動作可能であるか、または設定される。
【０１２０】
通常、第１の無線ネットワークノード１１０、たとえば処理モジュール９０１は、その他の外部ノードまたはデバイスとの間で情報を送信および／または受信するような、その他のユニットおよび／またはノードとの間の任意の通信に、たとえば実行することによって、関与するように設定された入出力（Ｉ／Ｏ）モジュール９０５を備える。Ｉ／Ｏモジュール９０５は、該当する場合に、モジュールを取得すること、たとえば受信すること、および／またはモジュールを提供すること、たとえば送信することによって例示されてもよい。
【０１２１】
さらなる実施形態において、第１の無線ネットワークノード１１０、たとえば処理モジュール９０１は、ハードウェアおよび／またはソフトウェアモジュールを例示する、提供モジュール９０６および送信モジュール９０７の１つまたは複数を備えることができる。一部の実施形態において、提供モジュール９０６および送信モジュール９０７は、処理回路９０４によって完全にまたは部分的に実施されてもよい。
【０１２２】
したがって、上記で説明されているさまざまな実施形態によれば、第１の無線ネットワークノード１１０、および／または処理モジュール９０１および／または提供モジュール９０６は、前記第１のアクセス識別子および前記第１のアクセス情報コンパイレーションを提供するように、動作可能であるかまたは設定される。
【０１２３】
さらに、上記で説明されているさまざまな実施形態によれば、第１の無線ネットワークノード１１０、および／または処理モジュール９０１および／または送信モジュール９０７は、前記第１の周波数で、第１のアクセス識別子および前記第１のアクセス情報コンパイレーションを送信するように、動作可能であるかまたは設定されてもよい。
【０１２４】
図１０は、無線デバイス１２０が、第１の無線ネットワークノード、たとえば第１の無線ネットワークノード１１０を通じて第１の無線通信ネットワーク、たとえば第１の無線通信ネットワーク１００にアクセスできるようにするアクセス情報を取得するための、無線デバイス、たとえば無線デバイス１２０によって実行される方法の実施形態を概略的に示す流れ図である。第１の無線ネットワークノード１１０は、第１の無線通信ネットワーク１００に含まれる。
【０１２５】
方法は、以下のアクションを備えるが、アクションは任意の適切な順序で行われてもよい、および／または可能であり適切である場合に時間的に完全にまたは部分的に重複して実行されてもよい。
【０１２６】
アクション１００１
無線デバイス１２０は、第１の無線ネットワークノード１１０から、第１の無線ネットワークノード１１０によって第１の周波数で送信される第１のアクセス識別子および第１のアクセス情報コンパイレーションを受信する。第１のアクセス識別子は、第１のアクセス情報コンパイレーションを識別する。第１のアクセス情報コンパイレーションは、無線デバイス１２０が、第１の無線ネットワークノード１１０を通じて第１の無線通信ネットワーク１００にアクセスできるようにするアクセス情報を識別する。第１のアクセス情報コンパイレーションは、前記アクセス情報の少なくとも一部を備え、かつ、第１のアクセス情報コンパイレーションとは異なる周波数および／または異なる時間で送信に関連付けられている別のさらなるアクセス情報コンパイレーションをどこで受信すべきかを識別する。
【０１２７】
一部の実施形態において、第１のアクセス識別子は、第１のアクセス情報コンパイレーションを識別することに加えて、第１の無線ネットワークノード１１０を通じて第１の無線通信ネットワーク１００にアクセスしようと試みる無線デバイス、たとえば無線デバイス１２０の時間同期参照としての機能を果たす。
【０１２８】
第１のアクセス情報コンパイレーションは、以下の事項に関する情報を備えることによってさらなるアクセス情報コンパイレーションをどこで受信するかを識別することができる。
どの周波数でさらなるアクセス情報コンパイレーションが送信されているか、および／または
さらなるアクセス情報コンパイレーションが送信される時間
【０１２９】
さらに、第１のアクセス情報コンパイレーションは、さらなるアクセス情報コンパイレーションへのアクセスを容易にする情報をさらに識別することができる。この情報は、以下の事項のうちの１つまたは複数に関連する１つまたは複数のパラメータを備えることができる。
さらなるアクセス情報コンパイレーションの送信に使用される符号化方式
さらなるアクセス情報コンパイレーションを備える信号を復調する際に使用する復調用参照信号
さらなるアクセス情報コンパイレーションにアクセスする際に使用する時間同期用参照信号
さらなるアクセス情報コンパイレーションの提供に関連付けられているＲＡＴ
【０１３０】
一部の実施形態において、さらなるアクセス情報コンパイレーションは、その他のアクセス情報の少なくとも一部を追加的に備える。その他のアクセス情報は、無線デバイス１２０が、１つまたは複数のその他の周波数および／または無線ネットワークノード、たとえば第２および／または第３の無線ネットワークノード１１１、１１２を通じて、第１の無線通信ネットワーク１００および／または別の第２の無線通信ネットワーク１０１にアクセスできるようにする。したがって、さらなるアクセス情報コンパイレーションは、複数の周波数および／または無線ネットワークノードに関連付けられているアクセス情報を提供する。
【０１３１】
一部の実施形態において、前記さらなるアクセス情報コンパイレーションは、さらなるアクセス情報コンパイレーションにアクセスする方法を識別するアクセス情報コンパイレーションと同じ周波数で送信される。
【０１３２】
さらに、一部の実施形態において、前記第１のアクセス情報コンパイレーションおよびさらなるアクセス情報コンパイレーションは、周期的に送信され、さらなるアクセス情報コンパイレーションは実質的により長い周期を備える。
【０１３３】
さらに、一部の実施形態において、第１のアクセス情報コンパイレーションは、さらなるアクセス情報コンパイレーションが送信されるときの情報に基づいて送信されるか、またはさらなるアクセス情報コンパイレーションは、第１のアクセス情報コンパイレーションが送信されるときの情報に基づいて送信される。
【０１３４】
さらに、一部の実施形態において、第１のアクセス情報コンパイレーションおよび／またはさらなるアクセス情報コンパイレーションは、１つまたは複数の追加のアクセス情報コンパイレーションを識別することができる。
【０１３５】
前記１つまたは複数の追加のアクセス情報コンパイレーションは、第１のアクセス情報コンパイレーションおよび／またはさらなるアクセス情報コンパイレーションの部分情報を備えることができる。
【０１３６】
前記１つまたは複数の追加のアクセス情報コンパイレーションの少なくとも一部は、第１の無線通信ネットワーク１００および／または第２の無線通信ネットワーク１０１の１つまたは複数のオペレータに固有であってもよい。
【０１３７】
前記１つまたは複数の追加のアクセス情報コンパイレーションの少なくとも一部は、第１の無線通信ネットワーク１００以外の別のＲＡＴに関連付けられてもよい。
【０１３８】
第１のアクセス情報コンパイレーションおよび／またはさらなるアクセス情報コンパイレーションは、前記１つまたは複数の追加のアクセス情報コンパイレーションの少なくとも一部を用いて、１つまたは複数のさらなる無線通信ネットワーク、たとえば第２の無線通信ネットワーク１０１、および／またはさらなる無線ネットワークノード、たとえば第２および／または第３の無線ネットワークノード１１１、１１２に関連付けられてもよい。これにより、無線デバイス１２０は、第１の無線ネットワークノード１１０を通じて第１の無線通信ネットワーク１００にアクセスする前に代替手段を評価できるようにされる。
【０１３９】
このアクションは、上記のアクション３０２に完全にまたは部分的に対応することができる。
【０１４０】
アクション１００２
無線デバイス１２０は、受信された第１のアクセス情報コンパイレーションに基づいて、さらなるアクセス情報コンパイレーションを受信することができる。
【０１４１】
このアクションは、上記のアクション３０３に完全にまたは部分的に対応することができる。
【０１４２】
アクション１００３
無線デバイス１２０は、受信されたさらなるアクセス情報コンパイレーションに基づいて、第１の無線ネットワークノード１１０を通じて第１の無線通信ネットワーク１００にアクセスすることができる。
【０１４３】
このアクションは、上記のアクション３０５に完全にまたは部分的に対応することができる。
【０１４４】
図１１は、無線デバイス１２０が、第１の無線ネットワークノード１１０を通じて第１の無線通信ネットワーク１００にアクセスできるようにするアクセス情報を取得するための無線デバイス１２０の実施形態、特に、無線デバイスが、どのように図１０に関連して上記で説明されている方法およびアクションを実行するように設定され得るかを示すための概略ブロック図である。
【０１４５】
無線デバイス１２０は、たとえば前記方法および／またはアクションを実行するための１つまたは複数のプロセッサ、および／または１つまたは複数のソフトウェアモジュールを含む、１つまたは複数のハードウェアモジュールの手段のような、処理モジュール１１０１を備えることができる。
【０１４６】
無線デバイス１２０は、コンピュータプログラム１１０３を、含むかまたは格納するなど、備えることができるメモリ１１０２をさらに備えることができる。コンピュータプログラムは、前記方法および／またはアクションを実行するように第１の無線デバイス１２０によって直接または間接的に実行可能な「命令」または「コード」を備える。メモリ１１０２は、１つまたは複数のメモリユニットを備えることができ、本明細書における実施形態の機能およびアクションを実行する際に関与するかまたは実行するための設定および／またはアプリケーションのような、データを格納するようにさらに配列されてもよい。
【０１４７】
さらに、無線デバイス１２０は、例示するハードウェアモジュールとして処理回路１１０４を備えることができ、１つまたは複数のプロセッサを備えるか、またはそのプロセッサに対応することができる。一部の実施形態において、処理モジュール１１０１は、処理回路１１０４を備える、たとえば処理回路１１０４「の形態で具現される」かまたは「により実現される」ことができる。これらの実施形態において、メモリ１１０２は、処理回路１１０４によって実行可能なコンピュータプログラム１１０３を備えることができ、それにより無線デバイス１２０は、前記方法および／またはアクションを実行するように動作可能であるか、または設定される。
【０１４８】
通常、無線デバイス１２０、たとえば処理モジュール１１０１は、その他の外部ノードまたはデバイスとの間で情報を送信および／または受信するような、その他のユニットおよび／またはノードとの間の任意の通信に、たとえば実行することによって、関与するように設定された入出力（Ｉ／Ｏ）モジュール１１０５を備える。Ｉ／Ｏモジュール１１０５は、該当する場合に、モジュールを取得すること、たとえば受信すること、および／またはモジュールを提供すること、たとえば送信することによって例示されてもよい。
【０１４９】
さらなる実施形態において、無線デバイス１２０、たとえば処理モジュール１１０１は、ハードウェアおよび／またはソフトウェアモジュールを例示する、受信モジュール１１０６およびアクセスモジュール１１０７の１つまたは複数を備えることができる。一部の実施形態において、受信モジュール１１０６およびアクセスモジュール１１０９は、処理回路１１０４によって完全にまたは部分的に実施されてもよい。
【０１５０】
したがって、上記で説明されているさまざまな実施形態によれば、無線デバイス１２０、および／または処理モジュール１１０１および／または受信モジュール１１０６は、第１の無線ネットワークノード１１０によって前記第１の周波数で送信される前記第１のアクセス識別子および前記第１のアクセス情報コンパイレーションを、第１の無線ネットワークノード１１０から受信するように、動作可能であるかまたは設定される。
【０１５１】
さらに、上記で説明されているさまざまな実施形態によれば、無線デバイス１２０、および／または処理モジュール１１０１および／または受信モジュール１１０６は、受信された第１のアクセス情報コンパイレーションに基づいて、前記さらなるアクセス情報コンパイレーションを受信するように、さらに動作可能であるかまたは設定されてもよい。
【０１５２】
さらに、上記で説明されるさまざまな実施形態によれば、無線デバイス１２０、および／または処理モジュール１１０１および／またはアクセスモジュール１１０７は、受信されたさらなるアクセス情報コンパイレーションに基づいて、第１の無線ネットワークノード１１０を通じて第１の無線通信ネットワーク１００にアクセスするように、動作可能であるかまたは設定されてもよい。
【０１５３】
図１２ａ〜図１２ｃは、コンピュータプログラム９０３、１１０３のいずれか１つであってもよく、それぞれ処理回路９０４、１１０４および／またはそれぞれ処理モジュール９０１、１１０１によって実行されるとき、第１のネットワークノード、たとえば第１の無線ネットワークノード１１０またはさらなるネットワークノード１３０、および／または無線デバイス１２０に、上記で説明されているように実行させる命令を備えるコンピュータプログラムに関連する実施形態を説明する概略図である。第１の無線ネットワークノード１１０は、以下において第１のネットワークノードを例示するために使用されるが、適切な場合には、第１のネットワークノードの例でもあるさらなるネットワークノード１３０によって置き換えられてもよい。
【０１５４】
一部の実施形態において、コンピュータプログラム９０３、１１０３のいずれか１つまたは両方を備える、データキャリア、たとえばコンピュータプログラム製品が提供される。データキャリアは、電子信号、光信号、無線信号、およびコンピュータ可読媒体のうちの１つであってもよい。したがって、コンピュータプログラム９０３、１１０３のいずれか１つ、いくつか、またはすべては、コンピュータ可読媒体に格納されてもよい。データキャリアによって一時的な伝搬信号が除外されてもよく、データキャリアはそれに応じて非一時的データキャリアと称されてもよい。データキャリアがコンピュータ可読媒体である非限定的な例は、図１２ａにおけるメモリカードまたはメモリスティック１２０１、図１２ｂにおけるＣＤまたはＤＶＤのようなディスクストレージ媒体１２０２、図１２ｃにおける大容量ストレージデバイス１２０３である。大容量ストレージデバイス１２０３は通常、ハードドライブまたはソリッドステートドライブ（ＳＳＤ）に基づく。大容量ストレージデバイス１２０３は、コンピュータネットワーク１２０４、たとえばインターネットまたはローカルエリアネットワーク（ＬＡＮ）を介してアクセス可能なデータを格納するために使用されるようなものであってもよい。
【０１５５】
コンピュータプログラム９０３、１１０３のいずれか１つ、いくつか、またはすべてはさらに、純粋なコンピュータプログラムとして提供されるか、または１つまたは複数のファイルに含まれてもよい。１つまたは複数のファイルは、コンピュータ可読媒体に格納されて、たとえば、サーバを介して大容量ストレージデバイス１２０３からのように、コンピュータネットワーク１２０４上でのダウンロードを通じて使用可能であってもよい。サーバは、たとえばＷｅｂまたはファイル転送プロトコル（ＦＴＰ）サーバであってもよい。１つまたは複数のファイルはたとえば、たとえば処理回路９０４、１１０４のいずれか１つまたは両方によって、第１の無線ネットワークノード１１０および／または無線デバイス１２０への直接のまたは間接的なダウンロードおよびこれらでの実行のための実行可能ファイルであってもよい。１つまたは複数のファイルは同様に、または代替として、第１の無線ネットワークノード１１０および／または無線デバイス１２０に上記で説明されている方法を実行させるさらなるダウンロードおよび実行の前に、ファイルを実行可能にするために同一または別のプロセッサを伴う中間ダウンロードおよびコンパイレーションのためのものであってもよい。
【０１５６】
上記で言及されている任意の処理モジュールが、ソフトウェアおよび／またはハードウェアモジュールとして、たとえば既存のハードウェア内で、および／または特定用途向け集積回路（ＡＳＩＣ）、フィールドプログラマブルゲートアレイ（ＦＰＧＡ）などとして、実装されてもよいことに留意されたい。また、上記で言及されている任意のハードウェアモジュールおよび／または回路は、たとえば単一のＡＳＩＣまたはＦＰＧＡに含まれてもよいか、もしくは個別にパッケージされるかシステムオンチップ（ＳｏＣ）にアセンブルされるかにかかわらず、複数の別個のハードウェアコンポーネント間で分散されてもよいことに留意されたい。
【０１５７】
当業者であればまた、本明細書において説明されるモジュールおよび回路が、ハードウェアモジュール、ソフトウェアモジュール、アナログおよびデジタル回路、および／または、１つまたは複数のプロセッサによって実行されるときに、第１の無線ネットワークノード１１０またはさらなるネットワークノード１３０、および／または無線デバイス１２０に、それぞれ上記で説明されている方法を実行するように設定される、および／または実行させる、ソフトウェアおよび／またはファームウェアで設定された、たとえばメモリに格納された、１つまたは複数のプロセッサの組み合わせを示すことができることを理解するであろう。
【０１５８】
上記の例の多くの詳細は、現在５Ｇと称されるものおよび一部はＬＴＥに関連し、つまり、特定のＲＡＴコンテキストにおけるものであり、および／または当業者によって理解されるように、そのようなコンテキストにおいて固有の意味を有することがある。しかし、本明細書における実施形態は、例に使用されているようなコンテキストのみに限定されることはない。
【０１５９】
本明細書において使用される「ネットワークノード」という用語は、少なくとも１つの無線ネットワークノードと通信することができる、無線ネットワークノード（上記で説明されている）または任意のネットワークノードの任意のタイプをそのようなものとして示すことができる。そのようなネットワークノードの例は、上記で述べられている任意の無線ネットワークノード、コアネットワークノード、操作および保守（Ｏ＆Ｍ）、オペレーションサポートシステム（ＯＳＳ）、自己組織化ネットワーク（ＳＯＮ）ノードなどを含む。
【０１６０】
本明細書において使用される「ノード」という用語は、該当する場合、ネットワークノード、無線ネットワークノード、または無線デバイスであってもよいノードを示すために、簡略化の目的で使用されてもよい。
【０１６１】
本明細書において使用される用語は、３ＧＰＰに基づく無線通信ネットワークのように、使用される用語に応じて、特定のセルラー通信システム、無線通信ネットワークなどに特に関連付けられ、および／または例示されてもよいが、これは本明細書における実施形態の範囲を、そのような特定のシステム、ネットワークなどに限定するものと見なされてはならない。
【０１６２】
本明細書において使用される、「メモリ」という用語は、ハードディスク、磁気ストレージ媒体、ポータブルコンピュータディスケットまたはディスク、フラッシュメモリ、ランダムアクセスメモリ（ＲＡＭ）などを示すことができる。さらに、メモリは、プロセッサの内部レジスタメモリであってもよい。
【０１６３】
さらに、第１のネットワークノード、第２のネットワークノード、第１の無線デバイス、第２の無線デバイスなどのような列挙型の用語が、そのようなものとして非限定的なものと見なされるべきであり、そのような用語が特定の階層的関係を暗示しないことに留意されたい。一方、明示的な情報がない場合には、列挙による名称は単に、異なる名称を達成する方法と見なされるべきである。
【０１６４】
本明細書において使用される、「するように設定される」という表現は、処理回路が、ソフトウェアまたはハードウェア設定を用いて、本明細書において説明されるアクションの１つまたは複数を実行するように設定されるか、または適合されることを意味することができる。
【０１６５】
本明細書において使用される、「数」、「値」という用語は、２進数、実数、虚数、または有理数などのような、任意の種類の数字であってもよい。さらに、「数」、「値」は、文字、または文字のストリングのような、１つまたは複数の文字であってもよい。また、「数」、「値」は、ビットストリングによって表されてもよい。
【０１６６】
本明細書において使用される、「一部の実施形態において」という表現は、説明される実施形態の特徴が、本明細書において開示される任意の他の実施形態と組み合わされ得ることを示すために使用されている。
【０１６７】
本明細書において使用される、「送信する（ｔｒａｎｓｍｉｔ）」および「送信する（ｓｅｎｄ）」は通常、相互に置き換え可能である。これらの表現は、ブロードキャスト、ユニキャスト、グループキャストなどによる送信を含むことができる。このコンテキストにおいて、ブロードキャストによる送信は、範囲内の任意の許可されたデバイスによって受信され、復号されてもよい。ユニキャストの場合、１つの明確にアドレス指定されたデバイスが、送信を受信して符号化することができる。グループキャスト、たとえばマルチキャストの場合、明確にアドレス指定されたデバイスのグループが、送信を受信して復号することができる。
【０１６８】
「備える（ｃｏｍｐｒｉｓｅ）」または「備えている（ｃｏｍｐｒｉｓｉｎｇ）」という語を使用する場合、これは非限定的、つまり「少なくとも〜からなる（ｃｏｎｓｉｓｔ  ａｔ  ｌｅａｓｔ  ｏｆ）」を意味すると解釈されるものとする。
【０１６９】
本明細書における実施形態は、上記で説明されている好ましい実施形態に限定されることはない。さまざまな代替、変更、および均等物が使用されてもよい。
【０１７０】
したがって、上記の実施形態は、本開示の範囲を限定するものと解釈されるべきではなく、本開示の範囲は添付の特許請求の範囲によって規定される。
【図１ａ】
0006556859.tif 000002
【図１ｂ】
0006556859.tif 000003
【図２】
0006556859.tif 000004
【図３】
0006556859.tif 000005
【図４】
0006556859.tif 000006
【図５】
0006556859.tif 000007
【図６】
0006556859.tif 000008
【図７】
0006556859.tif 000009
【図８】
0006556859.tif 000010
【図９】
0006556859.tif 000011
【図１０】
0006556859.tif 000012
【図１１】
0006556859.tif 000013
【図１２ａ】
0006556859.tif 000014
【図１２ｂ】
0006556859.tif 000015
【図１２ｃ】
0006556859.tif 000016